(57)【要約】  ＯＦＤＭ技術に基づく無線通信システムにおいて、トラフィックチャネルの伝送速度を低下させること無く、制御チャネルや低速データチャネルの多重化を可能にする。  高速なデータ伝送を行うトラフィックチャネルと低速な制御情報を伝送する制御チャネルを多重化して運営する通信システムにおいて、トラフィックチャネルを伝送するＯＦＤＭ信号と、制御信号を伝送するＯＦＤＭ信号を多重化して送信する。受信局では制御チャネルを先に復調・復号して、トラフィックチャネルの信号に自局に当てられたものが含まれるか判断する。自局に当てられたものが含まれる場合には、無線通信路の品質に応じて制御チャネル信号を受信信号からキャンセルし、トラフィックチャネルを復調する。【特許請求の範囲】
【請求項１】
直交周波数分割多重（ＯＦＤＭ）技術を用いる通信システムであって、トラフィックデータを伝送するトラフィックチャネルと、制御データを伝送する制御チャネルと、を含み、ＯＦＤＭ変調を用いて生成されたトラフィックチャネル信号と、前記トラフィックチャネル信号に対して、時間、周波数、コードのいずれでも直交しない信号を用いて生成された制御チャネル信号と、を多重化することによって送信信号を生成することを特徴とする通信システム。
【請求項２】
請求項１に記載の通信システムであって、前記制御チャネル信号は、前記ＯＦＤＭ変調されたトラフィックチャネル信号の複数のサブキャリアまたは複数のＯＦＤＭシンボル、あるいはその両方の領域にわたって拡散された信号であることを特徴とする通信システム。
【請求項３】
請求項１に記載の通信システムであって、前記制御チャネル信号は、低レートのブロック符号により符号化された信号であり、その符号語は単一のＯＦＤＭシンボルの複数のサブキャリアを用いて送信されるように構成された信号であることを特徴とする通信システム。
【請求項４】
請求項１に記載の通信システムであって、受信局側では、前記トラフィックチャネルと前記制御チャネルが多重化された信号を受信し、前記制御チャネルを復調して信号点の判定を行うことにより得られた受信シンボルから受信信号に多重化された制御チャネル信号の複製を生成し、受信信号から制御チャネル信号成分を除去した後に、前記トラフィックチャネルの復調を行うことを特徴とする通信システム。
【請求項５】
請求項１に記載の通信システムであって、前記制御チャネルのデータは誤り訂正符号化されており、受信局側では、前記トラフィックチャネルと前記制御チャネルが多重化された信号を受信し、前記制御チャネルを復調・復号することにより得られた制御チャネルデータから受信信号に多重化された制御チャネル信号の複製を生成し、受信信号から制御チャネル信号成分を除去した後に、前記トラフィックチャネルの復調処理を行うことを特徴とする通信システム。
【請求項６】
請求項１に記載の通信システムであって、前記制御チャネルのデータは誤り訂正符号化されており、かつ前記制御チャネルのデータにはその時点あるいはそれ以降に送信される前記トラフィックチャネルの宛先情報が含まれており、受信局側では、前記トラフィックチャネルと前記制御チャネルが多重化された信号を受信し、前記制御チャネルを復調・復号して制御チャネルデータを抽出し、過去あるいはその時点で得られた制御情報から前記トラフィックチャネルに自局宛の情報が含まれるか否かを判断し、前記トラフィックチャネルが自局宛の情報を含む場合には、前記抽出された制御チャネルデータから受信信号に多重化された制御チャネル信号の複製を生成し、受信信号から制御チャネル信号成分を除去した後に、前記トラフィックチャネルの復調処理を行うことを特徴とする通信システム。
【請求項７】
直交周波数分割多重（ＯＦＤＭ）技術を用いる通信システムであって、高速なトラフィックデータを伝送するトラフィックチャネル１と、低速なトラフィックデータを伝送するトラフィックチャネル２と、を含み、ＯＦＤＭ変調を用いて生成されたトラフィックチャネル１の信号と、前記トラフィックチャネル１の信号に対して、時間、周波数、コードのいずれでも直交しない信号を用いて生成されたトラフィックチャネル２の信号と、を多重化することによって送信信号を生成することを特徴とする通信システム。
【請求項８】
請求項７に記載の通信システムであって、前記トラフィックチャネル２の信号は、前記ＯＦＤＭ変調されたトラフィックチャネル１の信号の複数のサブキャリアまたは複数のＯＦＤＭシンボル、あるいはその両方の領域にわたって拡散された信号であることを特徴とする通信システム。
【請求項９】
請求項７に記載の通信システムであって、前記トラフィックチャネル２の信号は、低レートのブロック符号により符号化された信号であり、その符号語は単一のＯＦＤＭシンボルの複数のサブキャリアを用いて送信されるように構成された信号であることを特徴とする通信システム。
【請求項１０】
請求項７に記載の通信システムであって、受信局側では、前記トラフィックチャネル１と前記トラフィックチャネル２が多重化された信号を受信し、前記トラフィックチャネル２を復調して信号点の判定を行うことにより得られたトラフィックチャネル２のシンボルから受信信号に多重化された前記トラフィックチャネル２の信号の複製を生成し、受信信号から前記トラフィックチャネル２の信号成分を除去した後に、前記トラフィックチャネル１の復調処理を行うことを特徴とする通信システム。
【請求項１１】
請求項７に記載の通信システムであって、前記トラフィックチャネル２のデータは誤り訂正符号化されており、受信局側では、前記トラフィックチャネル１と前記トラフィックチャネル２が多重化された信号を受信し、前記トラフィックチャネル２を復調・復号することによって得られたトラフィックチャネル２のデータから、受信信号に多重化された前記トラフィックチャネル２の信号の複製を生成し、受信信号から前記トラフィックチャネル２の信号成分を除去した後に、前記トラフィックチャネル１の復調を行うことを特徴とする通信システム。
【請求項１２】
直交周波数分割多重（ＯＦＤＭ）変調を用いる送信装置であって、トラフィックチャネルデータをＯＦＤＭ変調してトラフィックチャネル信号を生成する手段と、前記トラフィックチャネル信号に対して、時間、周波数、コードのいずれでも直交しない信号を用いて制御チャネルデータから制御チャネル信号を生成する手段と、前記トラフィックチャネル信号と前記制御チャネル信号を多重化することによって送信信号を生成する手段と、を有することを特徴とする送信装置。
【請求項１３】
請求項１２に記載の送信装置であって、前記制御チャネル信号生成手段は、制御チャネルデータを伝送するための制御チャネルシンボルを、前記ＯＦＤＭ変調されたトラフィックチャネル信号の複数のサブキャリアまたは複数のＯＦＤＭシンボル、あるいはその両方の領域にわたって拡散する手段を含むことを特徴とする送信装置。
【請求項１４】
請求項１２に記載の送信装置であって、前記制御チャネル信号生成手段は、低レートのブロック符号による符号化手段と、その符号語が単一のＯＦＤＭシンボルの複数のサブキャリアを用いて送信されるように配置する手段と、を含むことを特徴とする送信装置。
【請求項１５】
請求項１２に記載の送信装置で送信される信号を受信する受信装置であって、前記制御チャネルを復調して信号点の判定を行うことによって得られた受信シンボルから受信信号に多重化された前記制御チャネル信号の複製を生成する手段と、受信信号から制御チャネル信号成分を除去する手段と、を有することを特徴とする受信装置。
【請求項１６】
請求項１２に記載の送信装置で送信される信号を受信する受信装置であって、前記制御チャネルのデータは誤り訂正符号化されており、前記制御チャネルを復調・復号することによって得られた制御チャネルデータから受信信号に多重化された前記制御チャネル信号の複製を生成する手段と、受信信号から制御チャネル信号成分を除去する手段と、を有することを特徴とする受信装置。
【請求項１７】
請求項１２に記載の送信装置で送信される信号を受信する受信装置であって、前記制御チャネルのデータは誤り訂正符号化されており、前記制御チャネルを復調・復号して制御チャネルデータを抽出する手段を有し、過去あるいはその時点で得られた制御情報から前記トラフィックチャネルに自局宛の情報が含まれるか否かを判断し、前記トラフィックチャネルが自局宛の情報を含む場合には、前記抽出された制御チャネルデータから受信信号に多重化された前記制御チャネル信号の複製を生成し、受信信号から制御チャネル信号成分を除去した後に、前記トラフィックチャネルの復調処理を行うことを特徴とする受信装置。
【請求項１８】
請求項１２に記載の送信装置で送信される信号を受信する受信装置であって、前記トラフィックチャネルと前記制御チャネルとが多重化された信号を受信し、前記制御チャネルを復調、判定することにより得られた制御チャネルシンボルから前記制御チャネルの複製を生成して、受信信号から前記制御チャネル信号成分を除去するキャンセリング機能１と、前記トラフィックチャネルと前記制御チャネルが多重化された信号を受信し、前記制御チャネルを復調・復号することにより得られた制御チャネルデータから受信信号に多重化された前記制御チャネルの複製を生成して、受信信号から制御チャネル信号成分を除去するキャンセリング機能２と、を有し、通信路の品質によって、前記キャンセリング機能１、前記キャンセリング機能２、及びキャンセリング無し、のいずれかを選択して前記トラフィックチャネルの復調処理を行うことを特徴とする受信装置。
【請求項１９】
請求項１２に記載の送信装置で送信される信号を受信する受信装置であって、前記トラフィックチャネルと前記制御チャネルとが多重化された信号を受信し、前記制御チャネルを復調、判定することにより得られた制御チャネルシンボルから受信信号に多重化された前記制御チャネル信号の複製を生成して、受信信号から前記制御チャネル信号成分を除去するキャンセリング機能１と、前記トラフィックチャネルと前記制御チャネルが多重化された信号を受信し、前記制御チャネルを復調・復号することにより得られた制御チャネルデータから受信信号に多重化された前記制御チャネルの複製を生成して、受信信号から制御チャネル信号成分を除去するキャンセリング機能２と、の二つのキャンセリング機能のうちのいずれか一方のキャンセリング機能のみを有し、通信路の品質によって、キャンセリング有り、及びキャンセリング無し、のいずれかを選択して前記トラフィックチャネルの復調を行うことを特徴とする受信装置。
【請求項２０】
直交周波数分割多重（ＯＦＤＭ）変調を用いる送信装置であって、トラフィックチャネル１のデータをＯＦＤＭ変調してトラフィックチャネル１の信号を生成する手段と、前記トラフィックチャネル１の信号に対して、時間、周波数、コードのいずれでも直交しない信号を用いてトラフィックチャネル２の信号を生成する手段と、前記トラフィックチャネル１の信号と前記トラフィックチャネル２の信号を多重化することによって送信信号を生成する手段と、を有することを特徴とする送信装置。
【請求項２１】
請求項２０に記載の送信装置であって、前記トラフィックチャネル２の信号生成手段は、トラフィックチャネル２を送信するためのシンボルを、前記ＯＦＤＭ変調されたトラフィックチャネル１の信号の複数のサブキャリアまたは複数のＯＦＤＭシンボル、あるいはその両方の領域にわたって拡散する手段を含むことを特徴とする送信装置。
【請求項２２】
請求項２０に記載の送信装置であって、前記トラフィックチャネル２の信号生成手段は、低レートのブロック符号による符号化手段と、その符号語が単一のＯＦＤＭシンボルの複数のサブキャリアを用いて送信されるように配置する手段と、を含むことを特徴とする送信装置。
【請求項２３】
請求項２０に記載の送信装置で送信される信号を受信する受信装置であって、前記トラフィックチャネル２を復調して信号点の判定を行うことにより得られたトラフィックチャネル２のシンボルから受信信号に多重化された前記トラフィックチャネル２の信号の複製を生成する手段と、受信信号から前記トラフィックチャネル２の信号成分を除去する手段と、を有することを特徴とする受信装置。
【請求項２４】
請求項２０に記載の送信装置で送信される信号を受信する受信装置であって、前記トラフィックチャネル２のデータは誤り訂正符号化されており、前記トラフィックチャネル２を復調・復号することによって得られたトラフィックチャネル２のデータから、受信信号に多重化された前記トラフィックチャネル２の信号を複製する手段と、受信信号から前記トラフィックチャネル２の信号成分を除去する手段を有することを特徴とする受信装置。
【請求項２５】
請求項２０に記載の送信装置で送信される信号を受信する受信装置であって、前記トラフィックチャネル２を復調、判定することによって得られたトラフィックチャネル２のシンボルから受信信号に多重化された前記トラフィックチャネル２の信号の複製を生成して、受信信号から前記トラフィックチャネル２の信号成分を除去するキャンセリング機能１と、前記トラフィックチャネル２を復調・復号することによって得られたトラフィックチャネル２のデータから受信信号に多重化された前記トラフィックチャネル２の信号の複製を生成して、受信信号から前記トラフィックチャネル２の信号成分を除去するキャンセリング機能２と、を有し、通信路の品質によって、前記キャンセリング機能１、前記キャンセリング機能２、及びキャンセリング無し、のいずれかを選択して前記トラフィックチャネル１の復調を行うことを特徴とする受信装置。
【請求項２６】
請求項２０に記載の送信装置で送信される信号を受信する受信装置であって、前記トラフィックチャネル２を復調、判定することによって得られたトラフィックチャネル２のシンボルから受信信号に多重化された前記トラフィックチャネル２の信号の複製を生成して、受信信号から前記トラフィックチャネル２の信号成分を除去するキャンセリング機能１と、前記トラフィックチャネル２を復調・復号することによって得られたトラフィックチャネル２のデータから受信信号に多重化された前記トラフィックチャネル２の複製を生成して、受信信号から前記トラフィックチャネル２の信号成分を除去するキャンセリング機能２と、の二つのキャンセリング機能のうちのいずれか一方のキャンセリング機能のみを有し、通信路の品質によって、キャンセリング有り、及びキャンセリング無し、のいずれかを選択して前記トラフィックチャネル１の復調を行うことを特徴とする受信装置。
【請求項２７】
直交周波数分割多重（ＯＦＤＭ）技術を使用し、前記ＯＦＤＭ技術によりＯＦＤＭ変調された信号は複数のサブキャリアまたは複数のＯＦＤＭシンボル、あるいはその両方の領域にわたって拡散された信号であることを特徴とした変調方式（ＯＦＣＤＭ変調）を用いる送信装置であって、
トラフィックチャネルデータをＯＦＣＤＭ変調してトラフィックチャネル信号を生成するトラフィックチャネル信号生成手段と、
前記トラフィックチャネル信号に対して、時間、周波数、コードのいずれでも直交しない信号を用いて制御チャネルデータから制御チャネル信号を生成する制御チャネル信号生成手段と、
前記トラフィックチャネル信号と前記制御チャネル信号を多重化することによって送信信号を生成する送信信号生成手段と、
を備えることを特徴とする送信装置。
【請求項２８】
直交周波数分割多重（ＯＦＤＭ）技術を使用し、前記ＯＦＤＭ技術によりＯＦＤＭ変調された信号は複数のサブキャリアまたは複数のＯＦＤＭシンボル、あるいはその両方の領域にわたって拡散された信号であることを特徴とした変調方式（ＯＦＣＤＭ変調）を用いる送信装置であって、
トラフィックチャネルデータをＯＦＣＤＭ変調してトラフィックチャネル信号を生成するトラフィックチャネル信号生成手段と、
制御チャネルデータを任意の方式で変調して制御チャネル信号を生成する制御チャネル信号生成手段と、
前記制御チャネル信号と前記トラフィックチャネル信号が、互いに時間、周波数、コードのいずれでも直交しない信号と、互いに時間、周波数、コードのいずれかに直交する信号とに、切り替える切替手段と、
前記トラフィックチャネル信号と前記制御チャネル信号を多重化することによって送信信号を生成する送信信号生成手段と、
を備えることを特徴とする送信装置。
【請求項２９】
前記切替手段は、通信路の品質が良好である場合に、前記直交しない信号に切り替え、通信路の品質が劣悪である場合に、前記直交する信号に切り替えることを特徴とする請求項２８に記載の送信装置。
【請求項３０】
前記切替手段は、前記トラフィックチャネル信号で現在使用されている拡散コード数に応じて、前記直交しない信号と前記直交する信号とを切り替えることを特徴とする請求項２８に記載の送信装置。
【請求項３１】
前記制御チャネル信号生成手段により生成される前記制御チャネル信号は、前記ＯＦＣＤＭ変調された信号であることを特徴とする請求項２７から請求項３０のいずれか１項に記載の送信装置。
【請求項３２】
前記制御チャネル信号生成手段は、低レートのブロック符号による符号化手段と、その符号語が単一のＯＦＤＭシンボルの複数のサブキャリアを用いて送信されるように配置する手段と、を含むことを特徴とする請求項２７に記載の送信装置。
【請求項３３】
請求項２７から請求項３２のいずれか１項に記載の送信装置で送信される信号を受信する受信装置であって、
前記制御チャネル信号から制御チャネルデータの復調処理を行う制御チャネル信号処理手段と、前記トラフィックチャネル信号をＯＦＣＤＭ復調してトラフィックチャネルデータの復調処理を行うトラフィックチャネル信号処理手段と、
前記制御チャネル信号を復調し、復調した信号から受信信号に多重化された前記制御チャネル信号の複製を生成する手段と、受信信号から制御チャネル信号成分を除去する手段とを含む制御チャネルキャンセラー手段と、
を備えることを特徴とする受信装置。
【請求項３４】
前記制御チャネルキャンセラー手段は、前記制御チャンネル信号を復調して信号点の判定を行う判定手段により得られた制御チャネルシンボルから受信信号に多重化された前記制御チャネル信号の複製を生成し、受信信号から制御チャネル信号成分を除去した後に、前記トラフィックチャネル信号の復調を行うことを特徴とする請求項３３に記載の受信装置。
【請求項３５】
前記制御チャネルキャンセラー手段は、前記制御チャネル信号を復調して誤り訂正符号復号化手段で復号することにより得られた制御チャネルデータから受信信号に多重化された前記制御チャネル信号の複製を生成し、受信信号から制御チャネル信号成分を除去した後に、前記トラフィックチャネル信号の復調処理を行うことを特徴とする請求項３３に記載の受信装置。
【請求項３６】
前記制御チャネルキャンセラー手段は、過去あるいはその時点で得られた制御情報から前記トラフィックチャネルに自局宛の情報が含まれるか否かを判断し、前記トラフィックチャネルが自局宛の情報を含む場合に、受信信号に多重化された前記制御チャネル信号の複製を生成し、受信信号から制御チャネル信号成分を除去した後に、前記トラフィックチャネル信号の復調処理を行うことを特徴とする請求項３４又は請求項３５に記載の受信装置。
【請求項３７】
前記制御チャネルキャンセラー手段は、前記制御チャネル信号を復調し、前記判定手段により、信号点の判定を行うことにより得られた制御チャネルシンボルから前記制御チャネルの複製を生成して、受信信号から前記制御チャネル信号成分を除去するキャンセリング（１）手段と、前記制御チャネルを復調・復号することにより得られた制御チャネルデータから受信信号に多重化された前記制御チャネルの複製を生成して、受信信号から制御チャネル信号成分を除去するキャンセリング（２）手段と、を備え、
通信路の品質によって、前記キャンセリング（１）手段、前記キャンセリング（２）手段及びキャンセリングを実行させない手段のいずれかの手段を選択して前記トラフィックチャネルの復調処理を行うことを特徴とする請求項３３に記載の受信装置。
【請求項３８】
前記制御チャネルキャンセラー手段は、前記トラフィックチャネルと前記制御チャネルとが多重化された信号を受信し、前記制御チャネルを復調、判定することにより得られた制御チャネルシンボルから受信信号に多重化された前記制御チャネル信号の複製を生成して、受信信号から前記制御チャネル信号成分を除去する前記キャンセリング（１）手段及び前記トラフィックチャネルと前記制御チャネルが多重化された信号を受信し、前記制御チャネルを復調・復号することにより得られた制御チャネルデータから受信信号に多重化された前記制御チャネルの複製を生成して、受信信号から制御チャネル信号成分を除去する前記キャンセリング（２）手段の２つのキャンセリング手段うちのどちらか一方のキャンセリング手段のみを備え、
通信路の品質によって、キャンセリングを実行するか否かのどちらかを選択して前記トラフィックチャネルの復調を行うことを特徴とする請求項３３に記載の受信装置。
【請求項３９】
請求項２８から請求項３０のいずれか１項に記載の送信装置で送信される信号を受信する受信装置であって、
トラフィックチャネル信号をＯＦＣＤＭ復調してトラフィックチャネルデータの復調処
理を行うトラフィックチャネル信号処理手段と、
制御チャネル信号から制御チャネルデータの復調処理を行う制御チャネル信号処理手段と、
前記制御チャネル信号と前記トラフィックチャネル信号が、互いに時間、周波数、コードのいずれでも直交しない信号と、互いに時間、周波数、コードのいずれかに直交する信号のどちらでも復調できるように時間、周波数またはコードを切り替える切替手段と、
前記制御チャネルを復調して得られた受信シンボルもしくは受信データから受信信号に多重化された前記制御チャネル信号の複製を生成する複製手段と、受信信号から制御チャネル信号成分を除去する除去手段とを含む制御チャネルキャンセラー手段と、を備え、
前記制御チャネルが前記直交する信号であれば、そのまま前記トラフィックチャネルの復調を行い、前記制御チャネルが前記直交しない信号であれば、前記制御チャネルキャンセラー手段により前記受信信号から前記制御チャネルをキャンセリングした後に前記トラフィックチャネルの復調を行うことを特徴とする受信装置。
【請求項４０】
請求項２８から請求項３０のいずれか１項に記載の送信装置で送信される信号を受信する受信装置であって、
トラフィックチャネル信号をＯＦＣＤＭ復調してトラフィックチャネルデータの復調処理を行うトラフィックチャネル信号処理手段と、
制御チャネル信号から制御チャネルデータの復調処理を行う制御チャネル信号処理手段と、
前記制御チャネル信号と前記トラフィックチャネル信号が、互いに時間、周波数、コードのいずれでも直交しない信号と、互いに時間、周波数、コードのいずれかに直交する信号のどちらでも復調できるように時間、周波数またはコードを切り替える切替手段と、
前記制御チャネルを復調して得られた受信シンボルもしくは受信データから受信信号に多重化された前記制御チャネル信号の複製を生成する複製手段と、受信信号から制御チャネル信号成分を除去する除去手段とを含む制御チャネルキャンセラー手段と、を備え、
前記制御チャネルキャンセラー手段は、通信路の品質、および前記直交する信号か前記直交しない信号かに応じて、前記複製手段により複製された信号を利用して、前記除去手段により受信信号から前記制御チャネルのキャンセリングを実行するか否かを判断し、選択して、前記トラフィックチャネルの復調を行うことを特徴とする受信装置。
【請求項４１】
直交周波数分割多重（ＯＦＤＭ）技術を使用し、前記ＯＦＤＭ技術によりＯＦＤＭ変調された信号は複数のサブキャリアまたは複数のＯＦＤＭシンボル、あるいはその両方の領域にわたって拡散された信号であることを特徴とした変調方式（ＯＦＣＤＭ変調）を用いる送信装置であって、
トラフィックチャネルデータ１をＯＦＣＤＭ変調してトラフィックチャネル信号１を生成するトラフィックチャネル信号１生成手段と、
前記トラフィックチャネル１の信号に対して、時間、周波数、コードのいずれでも直交しない信号を用い、前記トラフィックチャネルデータ１に比較して、低速なトラフィックチャネルデータであるトラフィックチャネルデータ２からトラフィックチャネル信号２を生成するトラフィックチャネル信号２生成手段と、
前記トラフィックチャネル信号１と前記トラフィックチャネル信号２を多重化することによって送信信号を生成する送信信号生成手段と、
を備えることを特徴とする送信装置。
【請求項４２】
直交周波数分割多重（ＯＦＤＭ）技術を使用し、前記ＯＦＤＭ技術によりＯＦＤＭ変調された信号は複数のサブキャリアまたは複数のＯＦＤＭシンボル、あるいはその両方の領域にわたって拡散された信号であることを特徴とした変調方式（ＯＦＣＤＭ変調）を用いる送信装置であって、
トラフィックチャネルデータ１をＯＦＣＤＭ変調してトラフィックチャネル信号１を生成するトラフィックチャネル信号１生成手段と、
トラフィックチャネルデータ２を任意の方式で変調してトラフィックチャネル２の信号を生成するトラフィックチャネル２信号生成手段と、
前記トラフィックチャネル２の信号と前記トラフィックチャネル１の信号が、互いに時間、周波数、コードのいずれでも直交しない信号と、互いに時間、周波数、コードのいずれかに直交する信号とに、切り替える切替手段と、
前記トラフィックチャネル信号１と前記トラフィックチャネル信号２を多重化することによって送信信号を生成する送信信号生成手段と、
を備えることを特徴とする送信装置。
【請求項４３】
前記切替手段は、通信路の品質が良好である場合に前記直交しない信号に切り替え、通信路の品質が劣悪である場合に前記直交する信号に切り替えることを特徴とする請求項４２に記載の送信装置。
【請求項４４】
前記切替手段は、前記トラフィックチャネル１の信号で現在使用されている拡散コード数に応じて、前記直交しない信号と前記直交する信号とを切り替えることを特徴とする請求項４２に記載の送信装置。
【請求項４５】
前記トラフィックチャネル信号２生成手段により生成される前記トラフィックチャネル２の信号は、前記ＯＦＣＤＭ変調された信号であることを特徴とする請求項４１から請求項４４のいずれか１項に記載の送信装置。
【請求項４６】
前記トラフィックチャネル信号２生成手段は、低レートのブロック符号による符号化手段と、その符号語が単一のＯＦＤＭシンボルの複数のサブキャリアを用いて送信されるように配置する手段と、を含むことを特徴とする請求項４１に記載の送信装置。
【請求項４７】
請求項４１から請求項４６のいずれか１項に記載の送信装置で送信される信号を受信する受信装置であって、
トラフィックチャネル信号１をＯＦＣＤＭ復調してトラフィックチャネルデータ１の復調処理を行うトラフィックチャネル１信号処理手段と、
トラフィックチャネル信号２から、前記トラフィックチャネルデータ１に比較して、低速なトラフィックチャネルデータであるトラフィックチャネルデータ２の復調処理を行うトラフィックチャネル２信号処理手段と、
受信信号に多重化された前記トラフィックチャネル信号２の複製を生成する手段と、前記受信信号から前記トラフィックチャネル信号２の成分を除去する手段とを含むトラフィックチャネル２キャンセラー手段と、
を備えることを特徴とする受信装置。
【請求項４８】
前記トラフィックチャネル２を復調し、誤り訂正符号復号化手段により復号することによって得られたトラフィックチャネルデータ２から、前記トラフィックチャネルキャンセラー手段により、受信信号に多重化された前記トラフィックチャネル信号２の複製を生成し、受信信号から前記トラフィックチャネル２の信号成分を除去することを特徴とする請求項４７に記載の受信装置。
【請求項４９】
前記トラフィックチャネル信号２を復調し、信号点の判定を行う判定手段によって得られたトラフィックチャネル２のシンボルから、前記トラフィックチャネルキャンセラー手段によって、前記受信信号に多重化された前記トラフィックチャネル信号２の複製を生成し、前記受信信号から前記トラフィックチャネル信号２の成分を除去することを特徴とする請求項４７に記載の受信装置。
【請求項５０】
前記トラフィックチャネルキャンセラー手段は、前記トラフィックチャネル２を復調し、前記判定手段により、信号点の判定を行うことによって得られたトラフィックチャネル２のシンボルから前記受信信号に多重化された前記トラフィックチャネル信号２の複製を生成して、受信信号から前記トラフィックチャネル信号２の成分を除去するキャンセリング（１）手段と、前記トラフィックチャネル２を復調し、前記誤り訂正符号復号化手段により復号することによって得られるトラフィックチャネルデータ２から前記受信信号に多重化された前記トラフィックチャネル信号２の複製を生成して、前記受信信号から前記トラフィックチャネル２の信号成分を除去するキャンセリング（２）手段と、を備え、
通信路の品質によって、前記キャンセリング（１）手段、前記キャンセリング（２）手段、及びキャンセリングを実行させない手段のいずれかを選択して前記トラフィックチャネル１の復調を行うことを特徴とする請求項４７に記載の受信装置。
【請求項５１】
前記トラフィックチャネルキャンセラー手段は、前記トラフィックチャネル２を復調、前記判定することによって得られたトラフィックチャネル２のシンボルから受信信号に多重化された前記トラフィックチャネル２の信号の複製を生成して、受信信号から前記トラフィックチャネル信号２の成分を除去するキャンセリング（１）手段と、前記トラフィックチャネル２を復調・復号することによって得られたトラフィックチャネルデータ２から前記受信信号に多重化された前記トラフィックチャネル２の複製を生成して、受信信号から前記トラフィックチャネル信号２の成分を除去するキャンセリング（２）手段と、の二つのキャンセリング手段のうちのいずれか一方のキャンセリング手段のみを備え、
通信路の品質によって、キャンセリングを実行するか否かのどちらかを選択して前記トラフィックチャネル１の復調を行うことを特徴とする請求項４７に記載の受信装置。
【請求項５２】
請求項４２から請求項４４のいずれか１項に記載の送信装置で送信される信号を受信する受信装置であって、
トラフィックチャネル信号１をＯＦＣＤＭ復調してトラフィックチャネルデータ１の復調処理を行うトラフィックチャネル１信号処理手段と、
トラフィックチャネル信号２を復調してトラフィックチャネルデータ２の復調処理を行うトラフィックチャネル２信号処理手段と、
前記トラフィックチャネル信号１と前記トラフィックチャネル信号２が、互いに時間、周波数、コードのいずれでも直交しない信号と、互いに時間、周波数、コードのいずれかに直交する信号のどちらでも復調できるように時間、周波数またはコードを切り替える切替手段と、
前記トラフィックチャネル信号２を復調して得られた受信シンボルもしくは受信データから前記受信信号に多重化された前記トラフィックチャネル信号２の複製を生成する複製手段と、前記受信信号からトラフィックチャネル信号２の成分を除去する除去手段とを含むトラフィックチャネル２キャンセラー手段と、を備え、
前記トラフィックチャネル信号２が前記直交する信号であれば、そのまま前記トラフィックチャネルデータ１の復調を行い、前記トラフィックチャネル信号２が前記直交しない信号であれば、前記トラフィックチャネル２キャンセラー手段により複製された信号を前記受信信号から前記トラフィックチャネル信号２をキャンセリングした後に前記トラフィックチャネルデータ１の復調を行うことを特徴とする受信装置。
【請求項５３】
請求項４２から請求項４４のいずれか１項に記載の送信装置で送信される信号を受信する受信装置であって、
トラフィックチャネル信号１をＯＦＣＤＭ復調してトラフィックチャネルデータ１の復調処理を行うトラフィックチャネル１信号処理手段と、
トラフィックチャネル信号２を復調してトラフィックチャネルデータ２の復調処理を行うトラフィックチャネル２信号処理手段と、
前記トラフィックチャネル信号１と前記トラフィックチャネル信号２が、互いに時間、周波数、コードのいずれでも直交しない信号と、互いに時間、周波数、コードのいずれかに直交する信号のどちらでも復調できるように時間、周波数またはコードを切り替える切替手段と、
前記トラフィックチャネル信号２を復調して得られた受信シンボルもしくは受信データから前記受信信号に多重化された前記トラフィックチャネル信号２の複製を生成する複製手段と、前記受信信号からトラフィックチャネル信号２の成分を除去する除去手段とを含むトラフィックチャネル２キャンセラー手段と、を備え、
前記トラフィックチャネル２キャンセラー手段は、通信路の品質、および前記直交する信号か前記直交しない信号かに応じて、前記複製手段により複製された信号を利用して、前記除去手段により受信信号から前記トラフィックチャネル信号２のキャンセリングを実行するか否かを判断し、選択して、前記トラフィックチャネルデータ１の復調を行うことを特徴とする受信装置。
【請求項５４】
請求項２７から請求項３２のいずれか１項に記載する送信装置と、請求項３３から請求項３８のいずれか１項に記載する受信装置と、を備えたことを特徴とするデータ通信システム。
【請求項５５】
請求項２８から請求項３１のいずれか１項に記載する送信装置と、請求項３９または請求項４０に記載する受信装置と、を備えたことを特徴とするデータ通信システム。
【請求項５６】
請求項４１から請求項４６のいずれか１項に記載する送信装置と、請求項４７から請求項５１のいずれか１項に記載する受信装置と、を備えたことを特徴とするデータ通信システム。
【請求項５７】
請求項４２から請求項４５のいずれか１項に記載する送信装置と、請求項５２または請求項５３に記載する受信装置と、を備えたことを特徴とするデータ通信システム。
【発明の詳細な説明】
【技術分野】
【０００１】
本発明は、データ通信システム、受信装置及び送信装置に関し、より具体的にはＯＦＤＭ技術を用いたデータ通信システムに関する。
【背景技術】
【０００２】
無線ＬＡＮや携帯電話システムなど、電波を用いた無線データ通信システム需要はますます高まってきており、限られた周波数資源を有効に用いて高速なデータ通信を実現する技術が望まれている。
ＯＦＤＭ（Ｏｒｔｈｏｇｏｎａｌ  Ｆｒｅｑｕｅｎｃｙ Ｄｉｖｉｓｉｏｎ  Ｍｕｌｔｉｐｌｅｘｉｎｇ）技術は、高速な無線ＬＡＮを実現するＩＥＥＥ８０２．１１ｇや８０２．１１ａをはじめとする広帯域な無線通信に使われている技術である。【０００３】
ＯＦＣＤＭ（Ｏｒｔｈｏｇｏｎａｌ  Ｆｒｅｑｕｅｎｃｙ ａｎｄ  Ｃｏｄｅ  Ｄｉｖｉｓｉｏｎ  Ｍｕｌｔｉｐｌｅｘｉｎｇ）およびＭＣ−ＣＤＭＡ（Ｍｕｌｔｉ−Ｃａｒｒｉｅｒ  Ｃｏｄｅ  Ｄｉｖｉｓｉｏｎ  Ｍｕｌｔｉｐｌｅ  Ａｃｃｅｓｓ）方式はＯＦＤＭ技術をベースにスペクトル拡散と符号分割多重の考えを取り込んだものである。ＭＣ−ＣＤＭＡという表現は狭帯域のＣＤＭＡ信号を複数並列に用いて通信を行うシステムにも使われるが、ここではＯＦＤＭ技術に基づくものに限定する。さらに、ＯＦＤＭ技術に基づくＭＣ−ＣＤＭＡについてはＯＦＣＤＭに含まれるものと考え、以下ＯＦＣＤＭという表現を用いることとする。以下ＯＦＤＭとＯＦＣＤＭについて簡単に説明する。【０００４】
ＯＦＤＭのブロック図を図４１に示す。一フレームの送信シンボル数をＮｆ＝Ｎｓ×Ｎｃとする。Ｎｃはサブキャリア数、ＮｓはＯＦＤＭシンボル数である。これ以外にチャネル(無線通信路)推定用のパイロットシンボルが含まれるのが通常であるがここでは省略する。
図４１（Ａ）の送信機では、Ｓ／Ｐ変換（直並列変換）１０１によりＮｃシンボルごとに並列化された送信シンボルはそれぞれのサブキャリア成分となり、ＩＦＦＴ（逆高速フーリエ変換）処理１０２がなされ、Ｐ／Ｓ変換（並直列変換）１０３がなされて時間信号列となる。ここでは、ＦＦＴ（高速フーリエ変換）の処理単位がＯＦＤＭの１シンボルとなる。そしてＡｄｄ  ＧＩ１０４では、ＯＦＤＭシンボルごとにＧＩ（ガードインターバル）が追加される。ガードインターバルは図４２の様に、ＯＦＤＭシンボルの後方の信号をＯＦＤＭシンボルの前に挿入するものである。このガードインターバルによって、無線通信路の遅延波による干渉を抑えることができる。【０００５】
図４３は一フレーム内の送信信号における送信シンボルの配置を示したものである。この例では、一フレームはＮｓ個のＯＦＤＭシンボルからなり、ＯＦＤＭシンボルの中で送信シンボルは周波数方向に順次並んだ形になっている。【０００６】
図４１（Ｂ）の受信機では、Ｒｅｍｏｖｅ  ＧＩ１０６で、タイミング検出１０５による検出結果に応じてＯＦＤＭシンボルすなわちＦＦＴ単位の切り出しを行い、Ｓ／Ｐ変換１０７を行った後、ＦＦＴ処理１０８を行い、各サブキャリア成分を抽出する。その後、Ｐ／Ｓ変換１０９を行って、送信フレームのシンボル配列と同じ順序のシンボル列を得ることができる。【０００７】
ＯＦＣＤＭでは周波数領域、または時間領域の拡散を行うことによって、図４４のように複数のサブキャリア、または複数のＯＦＤＭシンボルにわたって同じ送信シンボルを配置する。図４４（Ａ）では周波数領域の拡散率が４であり、４つのサブキャリアで同じデータシンボルが送信される。図４４（Ｂ）では周波数領域と時間領域の拡散率が共に２であり、２つのサブキャリア、２つのＯＦＤＭシンボルで同じデータシンボルが送信される。これらの例では拡散率４の拡散が行われることになるため、送信シンボルの伝送速度は１／４になる。これが、スペクトル拡散の考えであり、送信シンボルの伝送に必要な周波数帯域あるいは時間スロットより多くの周波数帯域あるいは時間スロットを使って信号を送信することにより、信号電力密度を低くすることができる。また、広い周波数範囲を使うことにより、周波数ダイバーシティ効果を得ることができる。さらに、拡散の際に直交符号を拡散符号として乗算することによって同じ領域を使って異なる送信シンボルを多重化し送信することが可能となる。これが、符号分割多重の考えである。符号分割多重によって伝送速度を高くすることが可能であり、通信路環境に対応した伝送速度の制御が可能となる。【０００８】
図４５は、一般的なＯＦＣＤＭの送信機と受信機を示すブロック図で、送信機を図４５（Ａ）に、受信機を図４５（Ｂ）に示すものである。
送信機において、周波数領域拡散の拡散率をＳＦとしている。また一フレームの送信シンボル数はＯＦＤＭに比べて１／ＳＦになる。Ｓ／Ｐ変換１１１にてＮｃ／ＳＦシンボルごとに並列化されたシンボルは周波数領域の拡散処理が行われ、それぞれのサブキャリア成分となる。周波数領域拡散処理１１２では１シンボルをＳＦ個のサブキャリア成分にコピーし、拡散符号｛Ｃ０，Ｃ１，・・・，ＣＳＦ−１｝が乗算される。ここでは、符号長ＳＦの複素数値系列を拡散符号として用いている。さらにＩＦＦＴ処理１１３、Ｐ／Ｓ変換１１４が行われて時間信号列となる。さらにＡｄｄ  ＧＩ１１５ではＯＦＤＭシンボルごとにＧＩ（ガードインターバル）が追加される。【０００９】
図４５（Ｂ）の受信機では、タイミング検出／チャネル推定処理１１６において、タイミング検出チャネル推定が行われ、ＦＦＴ処理を行うための受信信号を切り出すタイミングと、チャネル推定値が求められる。このチャネル推定値から、ＦＦＴ後に各サブキャリアに乗算される重み係数が決められる。【００１０】
受信信号は、Ｒｅｍｏｖｅ  ＧＩ１１７によりガードインターバルが取り除かれ、制御チャネルの復調が行われる。制御チャネルは周波数領域拡散を行うＯＦＣＤＭ変調が行われているので、拡散に用いられた拡散符号の複素共役とチャネル推定部で求められた重み係数を用いて逆拡散処理が行われる。重み係数の決め方は様々あるが、ここでは各サブキャリアに対応するチャネル係数｛Ｗ０，Ｗ１，・・・，ＷＮ−１｝の複素共役を用いている。ここでは、Ｓ／Ｐ変換１１８、ＦＦＴ処理１１９、周波数領域逆拡散１２０、Ｐ／Ｓ変換１２１が実行される。【００１１】
次世代のセルラ移動通信システムでも、ＯＦＤＭをベースとするＳＣＳ−ＭＣ−ＣＤＭＡ方式（非特許文献１）や、同じくＯＦＤＭをベースとするＶＳＦ−ＯＦＣＤＭ方式（非特許文献２）が検討されている。ＳＣＳ−ＭＣ−ＣＤＭＡ方式は、制御チャネルと通信チャネルを周波数軸上の異なるサブキャリアに配置する。一方ＶＳＦ−ＯＦＣＤＭ方式は、時間領域に拡散したデータチャネルと時間周波数両領域に拡散した制御チャネルを直交符号を用いて多重化する方法である。【００１２】
ＯＦＤＭとＭＣ−ＣＤＭＡに関連する発明としては特許文献１がある。これはセルラ移動通信システムにおいて移動端末−基地局間の通信路状態によってＯＦＤＭを用いるかＭＣ−ＣＤＭＡを用いるかを送信スロット単位で切り替えるというものである。
【特許文献１】特開２００４―１５８９０１号公報
【非特許文献１】長手他、「ＳＣＳ−ＭＣ−ＣＤＭＡ方式における共通制御チャネル同期の一検討」、２００４年電子情報通信学会総合大会  Ｂ−５−８１
【非特許文献２】岸山他、「下りリンクＶＳＦ−ＯＦＣＤＭブロードバンド無線アクセスにおける適応変復調・チャネル符号化の屋外実験結果」、２００４年電子情報通信学会総合大会  Ｂ−５−９４
【発明の開示】
【発明が解決しようとする課題】
【００１３】
先に示したＳＣＳ−ＭＣ−ＣＤＭＡは、ＯＦＤＭで用いられる複数のサブキャリアの一部を制御チャネルとして割り当てるものである。この場合特定のサブキャリアがデータ伝送に使えなくなる事、周波数ダイバーシティ効果が得られにくくなる等の問題点が生じる。また、ＶＳＦ−ＯＦＣＤＭでも制御チャネルに割り当てた分だけコード多重数が制限される事、また、制御チャネルとトラフィックチャネルが干渉しないようにコードを割り当てなければならないため、拡散率等無線パラメータの自由度が低くなる事が課題となる。また、フレーム内の特定のシンボルを制御チャネルとして割り当てる事も考えられるが、同様に伝送速度の低下や無線パラメータの自由度の低下の問題がある。
例えばトラフィックチャネルの拡散率を８とした場合、制御チャネルが低速で必要な伝送速度に対応する拡散率が１２８であったとしても、トラフィックチャネルには７コードしか割り当てることができず伝送速度が低下する。
これらと同様な問題は、継続的な低速データチャネルと非連続的な高速データチャネルを多重する場合にも生じる。【００１４】
本発明は、上述のごとき実情に鑑みてなされたもので、次世代セルラ移動通信システム等において、高速なデータ伝送を可能とするトラフィックチャネルと、低速な制御信号を伝送する制御チャネルの多重化に関する課題を解決することを目的とするものである。【００１５】
本発明はまた次世代セルラ移動通信システム等において、高速なデータ伝送を行うトラフィックチャネル１と、低速なデータ伝送を行うトラフィックチャネル２の多重化に関する課題を解決することを目的とするものである。
【課題を解決するための手段】
【００１６】
以上の課題を解決するためには、これまでとは異なるより自由度の高いチャネル割り当て方法が必要となる。すなわち、トラフィックチャネルと制御チャネルを、時間軸、周波数軸、コードのいずれでも直交しない信号を用いて多重化する。【００１７】
直交しない信号を用いることによって制御チャネルとトラフィックチャネルは互いに干渉することになる。一般に、トラフィックチャネルは高速で、その伝送には多くの電力を要する。一方、制御チャネルは低速でチャネル全体の電力は小さい。しかし、制御チャネルにエラーが生じるとトラフィックチャネルのデータを正確に処理することが出来ない可能性があるため、制御チャネルには高い通信品質が要求される。信号全体に対する制御チャネルの電力の割合は小さいので、制御チャネルの電力を大きめにしても、信号全体に対する影響は小さい。そこで、制御チャネルの電力を大きめに設定して誤り率を低く抑えるような電力配分を行う。これによって、制御チャネルはトラフィックチャネルからの干渉を受けても正確に受信することができる。【００１８】
制御チャネルの電力を大きくすると制御チャネルからトラフィックチャネルへの干渉も大きくなる。この問題に対しては、必要に応じて干渉除去（キャンセリング）技術を用いることで対処できる。通信路品質が十分に高い場合には干渉除去を用いなくともトラフィックチャネルの受信は可能である。通信路品質が低い場合には、制御チャネルシンボルを判定後制御チャネル信号の複製（レプリカ）を生成する方法と、制御チャネルを復号後再符号化してレプリカを生成する方法を適用可能であり、通信路品質に応じて使い分けることができる。【００１９】
同じフレーム内に送信されるトラフィックチャネルの情報が制御チャネルに含まれる場合、制御チャネルを先に処理する事によって、トラフィックチャネルに自局宛の情報が含まれるかどうかを判断し、不要なトラフィックチャネルに対しては受信処理を行う必要がない。トラフィックチャネルに自局宛の情報が含まれており、通信路品質が余り良くない場合には、制御チャネルの信号レプリカを生成して受信信号からキャンセルすることで、トラフィックチャネルの品質劣化を抑えることができる。これは、以前に送られたフレームに含まれる制御チャネルに以降に送られるフレームのトラフィックチャネルの情報が載せられている場合にも有効である。【００２０】
また、ここまで、高速のトラフィックチャネルと低速の制御チャネルという組み合わせで説明してきたが、速度の異なる２つのトラフィックチャネルが存在する場合にも多くの機能はそのまま適用が可能であり、制御チャネルとトラフィックチャネルの組合わせに限定するものではない。【００２１】
以下に、本発明の課題を解決する手段をより具体的に示す。
第１の技術手段は、直交周波数分割多重(ＯＦＤＭ)技術を用いる通信システムであって、トラフィックデータを伝送するトラフィックチャネルと、制御データを伝送する制御チャネルと、を含み、ＯＦＤＭ変調を用いて生成されたトラフィックチャネル信号と、トラフィックチャネル信号に対して、時間、周波数、コードのいずれでも直交しない信号を用いて生成された制御チャネル信号と、を多重化することによって送信信号を生成することを特徴としたものである。【００２２】
第２の技術手段は、第１の技術手段であって、制御チャネル信号は、ＯＦＤＭ変調されたトラフィックチャネル信号の複数のサブキャリアまたは複数のＯＦＤＭシンボル、あるいはその両方の領域にわたって拡散された信号であることを特徴としたものである。【００２３】
第３の技術手段は、第１の技術手段であって、制御チャネル信号は、低レートのブロック符号により符号化された信号であり、その符号語は単一のＯＦＤＭシンボルの複数のサブキャリアを用いて送信されるように構成された信号であることを特徴としたものである。【００２４】
第４の技術手段は、第１の技術手段であって、受信局側では、トラフィックチャネルと制御チャネルが多重化された信号を受信し、制御チャネルを復調して信号点の判定を行うことにより得られた受信シンボルから受信信号に多重化された制御チャネル信号の複製を生成し、受信信号から制御チャネル信号成分を除去した後に、トラフィックチャネルの復調を行うことを特徴としたものである。【００２５】
第５の技術手段は、第１の技術手段であって、制御チャネルのデータは誤り訂正符号化されており、受信局側では、トラフィックチャネルと制御チャネルが多重化された信号を受信し、制御チャネルを復調・復号することにより得られた制御チャネルデータから受信信号に多重化された制御チャネル信号の複製を生成し、受信信号から制御チャネル信号成分を除去した後に、トラフィックチャネルの復調処理を行うことを特徴としたものである。【００２６】
第６の技術手段は、第１の技術手段であって、制御チャネルのデータは誤り訂正符号化されており、かつ制御チャネルのデータにはその時点あるいはそれ以降に送信されるトラフィックチャネルの宛先情報が含まれており、受信局側では、トラフィックチャネルと制御チャネルが多重化された信号を受信し、制御チャネルを復調・復号して制御チャネルデータを抽出し、過去あるいはその時点で得られた制御情報からトラフィックチャネルに自局宛の情報が含まれるか否かを判断し、トラフィックチャネルが自局宛の情報を含む場合には、抽出された制御チャネルデータから受信信号に多重化された制御チャネル信号の複製を生成し、受信信号から制御チャネル信号成分を除去した後に、トラフィックチャネルの復調処理を行うことを特徴としたものである。【００２７】
第７の技術手段は、直交周波数分割多重(ＯＦＤＭ)技術を用いる通信システムであって、高速なトラフィックデータを伝送するトラフィックチャネル１と、低速なトラフィックデータを伝送するトラフィックチャネル２と、を含み、ＯＦＤＭ変調を用いて生成されたトラフィックチャネル１の信号と、トラフィックチャネル１の信号に対して、時間、周波数、コードのいずれでも直交しない信号を用いて生成されたトラフィックチャネル２の信号と、を多重化することによって送信信号を生成することを特徴としたものである。【００２８】
第８の技術手段は、第７の技術手段であって、トラフィックチャネル２の信号は、ＯＦＤＭ変調されたトラフィックチャネル１の信号の複数のサブキャリアまたは複数のＯＦＤＭシンボル、あるいはその両方の領域にわたって拡散された信号であることを特徴としたものである。【００２９】
第９の技術手段は、第７の技術手段であって、トラフィックチャネル２の信号は、低レートのブロック符号により符号化された信号であり、その符号語は単一のＯＦＤＭシンボルの複数のサブキャリアを用いて送信されるように構成された信号であることを特徴としたものである。【００３０】
第１０の技術手段は、第７の技術手段であって、受信局側では、トラフィックチャネル１とトラフィックチャネル２が多重化された信号を受信し、トラフィックチャネル２を復調して信号点の判定を行うことにより得られたトラフィックチャネル２のシンボルから受信信号に多重化されたトラフィックチャネル２の信号の複製を生成し、受信信号からトラフィックチャネル２の信号成分を除去した後に、トラフィックチャネル１の復調処理を行うことを特徴としたものである。【００３１】
第１１の技術手段は、第７の技術手段であって、トラフィックチャネル２のデータは誤り訂正符号化されており、受信局側では、トラフィックチャネル１とトラフィックチャネル２が多重化された信号を受信し、トラフィックチャネル２を復調・復号することによって得られたトラフィックチャネル２のデータから、受信信号に多重化されたトラフィックチャネル２の信号の複製を生成し、受信信号からトラフィックチャネル２の信号成分を除去した後に、トラフィックチャネル１の復調を行うことを特徴としたものである。【００３２】
第１２の技術手段は、直交周波数分割多重（ＯＦＤＭ）変調を用いる送信装置であって、トラフィックチャネルデータをＯＦＤＭ変調してトラフィックチャネル信号を生成する手段と、トラフィックチャネル信号に対して、時間、周波数、コードのいずれでも直交しない信号を用いて制御チャネルデータから制御チャネル信号を生成する手段と、トラフィックチャネル信号と制御チャネル信号を多重化することによって送信信号を生成する手段と、を有することを特徴としたものである。【００３３】
第１３の技術手段は、第１２の技術手段であって、制御チャネル信号生成手段は、制御チャネルデータを伝送するための制御チャネルシンボルを、ＯＦＤＭ変調されたトラフィックチャネル信号の複数のサブキャリアまたは複数のＯＦＤＭシンボル、あるいはその両方の領域にわたって拡散する手段を含むことを特徴としたものである。【００３４】
第１４の技術手段は、第１２の技術手段であって、制御チャネル信号生成手段は、低レートのブロック符号による符号化手段と、その符号語が単一のＯＦＤＭシンボルの複数のサブキャリアを用いて送信されるように配置する手段と、を含むことを特徴としたものである。【００３５】
第１５の技術手段は、第１２の技術手段で送信される信号を受信する受信装置であって、制御チャネルを復調して信号点の判定を行うことによって得られた受信シンボルから受信信号に多重化された制御チャネル信号の複製を生成する手段と、受信信号から制御チャネル信号成分を除去する手段と、を有することを特徴としたものである。【００３６】
第１６の技術手段は、第１２の技術手段で送信される信号を受信する受信装置であって、制御チャネルのデータは誤り訂正符号化されており、制御チャネルを復調・復号することによって得られた制御チャネルデータから受信信号に多重化された制御チャネル信号の複製を生成する手段と、受信信号から制御チャネル信号成分を除去する手段と、を有することを特徴としたものである。【００３７】
第１７の技術手段は、第１２の技術手段で送信される信号を受信する受信装置であって、制御チャネルのデータは誤り訂正符号化されており、制御チャネルを復調・復号して制御チャネルデータを抽出する手段を有し、過去あるいはその時点で得られた制御情報からトラフィックチャネルに自局宛の情報が含まれるか否かを判断し、トラフィックチャネルが自局宛の情報を含む場合には、抽出された制御チャネルデータから受信信号に多重化された制御チャネル信号の複製を生成し、受信信号から制御チャネル信号成分を除去した後に、トラフィックチャネルの復調処理を行うことを特徴としたものである。【００３８】
第１８の技術手段は、第１２の技術手段で送信される信号を受信する受信装置であって、トラフィックチャネルと制御チャネルとが多重化された信号を受信し、制御チャネルを復調、判定することにより得られた制御チャネルシンボルから制御チャネルの複製を生成して、受信信号から制御チャネル信号成分を除去するキャンセリング機能１と、トラフィックチャネルと制御チャネルが多重化された信号を受信し、制御チャネルを復調・復号することにより得られた制御チャネルデータから受信信号に多重化された制御チャネルの複製を生成して、受信信号から制御チャネル信号成分を除去するキャンセリング機能２と、を有し、通信路の品質によって、キャンセリング機能１、キャンセリング機能２、及びキャンセリング無し、のいずれかを選択してトラフィックチャネルの復調処理を行うことを特徴としたものである。【００３９】
第１９の技術手段は、第１２の技術手段で送信される信号を受信する受信装置であって、トラフィックチャネルと制御チャネルとが多重化された信号を受信し、制御チャネルを復調、判定することにより得られた制御チャネルシンボルから受信信号に多重化された制御チャネル信号の複製を生成して、受信信号から制御チャネル信号成分を除去するキャンセリング機能１と、トラフィックチャネルと制御チャネルが多重化された信号を受信し、制御チャネルを復調・復号することにより得られた制御チャネルデータから受信信号に多重化された制御チャネルの複製を生成して、受信信号から制御チャネル信号成分を除去するキャンセリング機能２と、の二つのキャンセリング機能のうちのいずれか一方のキャンセリング機能のみを有し、通信路の品質によって、キャンセリング有り、及びキャンセリング無し、のいずれかを選択してトラフィックチャネルの復調を行うことを特徴としたものである。【００４０】
第２０の技術手段は、直交周波数分割多重（ＯＦＤＭ）変調を用いる送信装置であって、トラフィックチャネル１のデータをＯＦＤＭ変調してトラフィックチャネル１の信号を生成する手段と、トラフィックチャネル１の信号に対して、時間、周波数、コードのいずれでも直交しない信号を用いてトラフィックチャネル２の信号を生成する手段と、トラフィックチャネル１の信号とトラフィックチャネル２の信号を多重化することによって送信信号を生成する手段と、を有することを特徴としたものである。【００４１】
第２１の技術手段は、第２０の技術手段であって、トラフィックチャネル２の信号生成手段は、トラフィックチャネル２を送信するためのシンボルを、ＯＦＤＭ変調されたトラフィックチャネル１の信号の複数のサブキャリアまたは複数のＯＦＤＭシンボル、あるいはその両方の領域にわたって拡散する手段を含むことを特徴としたものである。【００４２】
第２２の技術手段は、第２０の技術手段であって、トラフィックチャネル２の信号生成手段は、低レートのブロック符号による符号化手段と、その符号語が単一のＯＦＤＭシンボルの複数のサブキャリアを用いて送信されるように配置する手段と、を含むことを特徴としたものである。【００４３】
第２３の技術手段は、第２０の技術手段で送信される信号を受信する受信装置であって、トラフィックチャネル２を復調して信号点の判定を行うことにより得られたトラフィックチャネル２のシンボルから受信信号に多重化されたトラフィックチャネル２の信号の複製を生成する手段と、受信信号からトラフィックチャネル２の信号成分を除去する手段と、を有することを特徴としたものである。【００４４】
第２４の技術手段は、第２０の技術手段で送信される信号を受信する受信装置であって、トラフィックチャネル２のデータは誤り訂正符号化されており、トラフィックチャネル２を復調・復号することによって得られたトラフィックチャネル２のデータから、受信信号に多重化された前記トラフィックチャネル２の信号を複製する手段と、受信信号からトラフィックチャネル２の信号成分を除去する手段を有することを特徴としたものである。【００４５】
第２５の技術手段は、第２０の技術手段で送信される信号を受信する受信装置であって、トラフィックチャネル２を復調、判定することによって得られたトラフィックチャネル２のシンボルから受信信号に多重化されたトラフィックチャネル２の信号の複製を生成して、受信信号からトラフィックチャネル２の信号成分を除去するキャンセリング機能１と、トラフィックチャネル２を復調・復号することによって得られたトラフィックチャネル２のデータから受信信号に多重化されたトラフィックチャネル２の信号の複製を生成して、受信信号からトラフィックチャネル２の信号成分を除去するキャンセリング機能２と、を有し、通信路の品質によって、キャンセリング機能１、キャンセリング機能２、及びキャンセリング無し、のいずれかを選択してトラフィックチャネル１の復調を行うことを特徴としたものである。【００４６】
第２６の技術手段は、第２０の技術手段で送信される信号を受信する受信装置であって、トラフィックチャネル２を復調、判定することによって得られたトラフィックチャネル２のシンボルから受信信号に多重化されたトラフィックチャネル２の信号の複製を生成して、受信信号からトラフィックチャネル２の信号成分を除去するキャンセリング機能１と、トラフィックチャネル２を復調・復号することによって得られたトラフィックチャネル２のデータから受信信号に多重化されたトラフィックチャネル２の複製を生成して、受信信号からトラフィックチャネル２の信号成分を除去するキャンセリング機能２と、の二つのキャンセリング機能のうちのいずれか一方のキャンセリング機能のみを有し、通信路の品質によって、キャンセリング有り、及びキャンセリング無し、のいずれかを選択してトラフィックチャネル１の復調を行うことを特徴としたものである。【００４７】
第２７の技術手段は、直交周波数分割多重（ＯＦＤＭ）技術を使用し、ＯＦＤＭ技術によりＯＦＤＭ変調された信号は複数のサブキャリアまたは複数のＯＦＤＭシンボル、あるいはその両方の領域にわたって拡散された信号であることを特徴とした変調方式（ＯＦＣＤＭ変調）を用いる送信装置であって、トラフィックチャネルデータをＯＦＣＤＭ変調してトラフィックチャネル信号を生成するトラフィックチャネル信号生成手段と、トラフィックチャネル信号に対して、時間、周波数、コードのいずれでも直交しない信号を用いて制御チャネルデータから制御チャネル信号を生成する制御チャネル信号生成手段と、トラフィックチャネル信号と制御チャネル信号を多重化することによって送信信号を生成する送信信号生成手段と、を備えることを特徴としたものである。【００４８】
第２８の技術手段は、直交周波数分割多重（ＯＦＤＭ）技術を使用し、ＯＦＤＭ技術によりＯＦＤＭ変調された信号は複数のサブキャリアまたは複数のＯＦＤＭシンボル、あるいはその両方の領域にわたって拡散された信号であることを特徴とした変調方式（ＯＦＣＤＭ変調）を用いる送信装置であって、トラフィックチャネルデータをＯＦＣＤＭ変調してトラフィックチャネル信号を生成するトラフィックチャネル信号生成手段と、制御チャネルデータを任意の方式で変調して制御チャネル信号を生成する制御チャネル信号生成手段と、制御チャネル信号とトラフィックチャネル信号が、互いに時間、周波数、コードのいずれでも直交しない信号と、互いに時間、周波数、コードのいずれかに直交する信号とに、切り替える切替手段と、トラフィックチャネル信号と制御チャネル信号を多重化することによって送信信号を生成する送信信号生成手段と、を備えることを特徴としたものである。【００４９】
第２９の技術手段は、第２８の技術手段において、切替手段は、通信路の品質が良好である場合に、直交しない信号に切り替え、通信路の品質が劣悪である場合に、直交する信号に切り替えることを特徴としたものである。【００５０】
第３０の技術手段は、第２８の技術手段において、切替手段は、トラフィックチャネル信号で現在使用されている拡散コード数に応じて、直交しない信号と直交する信号とを切り替えることを特徴としたものである。【００５１】
第３１の技術手段は、第２７の技術手段から第３０の技術手段のいずれか１の技術手段において、制御チャネル信号生成手段により生成される制御チャネル信号は、ＯＦＣＤＭ変調された信号であることを特徴としたものである。【００５２】
第３２の技術手段は、第２７の技術手段において、制御チャネル信号生成手段は、低レートのブロック符号による符号化手段と、その符号語が単一のＯＦＤＭシンボルの複数のサブキャリアを用いて送信されるように配置する手段と、を含むことを特徴としたものである。【００５３】
第３３の技術手段は、第２７の技術手段から第３２の技術手段のいずれか１の技術手段において、制御チャネル信号から制御チャネルデータの復調処理を行う制御チャネル信号処理手段と、トラフィックチャネル信号をＯＦＣＤＭ復調してトラフィックチャネルデータの復調処理を行うトラフィックチャネル信号処理手段と、制御チャネル信号を復調し、復調した信号から受信信号に多重化された制御チャネル信号の複製を生成する手段と、受信信号から制御チャネル信号成分を除去する手段とを含む制御チャネルキャンセラー手段と、を備えることを特徴としたものである。【００５４】
第３４の技術手段は、第３３の技術手段において、制御チャネルキャンセラー手段は、制御チャネル信号を復調して信号点の判定を行う判定手段により得られた制御チャネルシンボルから受信信号に多重化された制御チャネル信号の複製を生成し、受信信号から制御チャネル信号成分を除去した後に、トラフィックチャネル信号の復調を行うことを特徴としたものである。【００５５】
第３５の技術手段は、第３３の技術手段において、制御チャネルキャンセラー手段は、制御チャネル信号を復調して誤り訂正符号復号化手段で復号することにより得られた制御チャネルデータから受信信号に多重化された制御チャネル信号の複製を生成し、受信信号から制御チャネル信号成分を除去した後に、トラフィックチャネル信号の復調処理を行うことを特徴としたものである。【００５６】
第３６の技術手段は、第３４の技術手段又は第３５の技術手段において、制御チャネルキャンセラー手段は、過去あるいはその時点で得られた制御情報からトラフィックチャネルに自局宛の情報が含まれるか否かを判断し、トラフィックチャネルが自局宛の情報を含む場合に、受信信号に多重化された制御チャネル信号の複製を生成し、受信信号から制御チャネル信号成分を除去した後に、トラフィックチャネル信号の復調処理を行うことを特徴としたものである。【００５７】
第３７の技術手段は、第３３の技術手段において、制御チャネルキャンセラー手段は、制御チャネル信号を復調し、判定手段により、信号点の判定を行うことにより得られた制御チャネルシンボルから制御チャネルの複製を生成して、受信信号から制御チャネル信号成分を除去するキャンセリング（１）手段と、制御チャネルを復調・復号することにより得られた制御チャネルデータから受信信号に多重化された制御チャネルの複製を生成して、受信信号から制御チャネル信号成分を除去するキャンセリング（２）手段と、を備え、通信路の品質によって、キャンセリング（１）手段、キャンセリング（２）手段及びキャンセリングを実行させない手段のいずれかの手段を選択してトラフィックチャネルの復調処理を行うことを特徴としたものである。【００５８】
第３８の技術手段は、第３３の技術手段において、制御チャネルキャンセラー手段は、トラフィックチャネルと制御チャネルとが多重化された信号を受信し、制御チャネルを復調、判定することにより得られた制御チャネルシンボルから受信信号に多重化された制御チャネル信号の複製を生成して、受信信号から制御チャネル信号成分を除去するキャンセリング（１）手段及びトラフィックチャネルと制御チャネルが多重化された信号を受信し、制御チャネルを復調・復号することにより得られた制御チャネルデータから受信信号に多重化された制御チャネルの複製を生成して、受信信号から制御チャネル信号成分を除去するキャンセリング（２）手段の２つのキャンセリング手段うちのどちらか一方のキャンセリング手段のみを備え、通信路の品質によって、キャンセリングを実行するか否かのどちらかを選択してトラフィックチャネルの復調を行うことを特徴としたものである。【００５９】
第３９の技術手段は、第２８の技術手段から第３０の技術手段のいずれか１の技術手段における送信装置で送信される信号を受信する受信装置であって、トラフィックチャネル信号をＯＦＣＤＭ復調してトラフィックチャネルデータの復調処理を行うトラフィックチャネル信号処理手段と、制御チャネル信号から制御チャネルデータの復調処理を行う制御チャネル信号処理手段と、制御チャネル信号とトラフィックチャネル信号が、互いに時間、周波数、コードのいずれでも直交しない信号と、互いに時間、周波数、コードのいずれかに直交する信号のどちらでも復調できるように時間、周波数またはコードを切り替える切替手段と、制御チャネルを復調して得られた受信シンボルもしくは受信データから受信信号に多重化された制御チャネル信号の複製を生成する複製手段と、受信信号から制御チャネル信号成分を除去する除去手段とを含む制御チャネルキャンセラー手段と、を備え、制御チャネルが前記直交する信号であれば、そのままトラフィックチャネルの復調を行い、制御チャネルが前記直交しない信号であれば、制御チャネルキャンセラー手段により受信信号から制御チャネルをキャンセリングした後にトラフィックチャネルの復調を行うことを特徴としたものである。【００６０】
第４０の技術手段は、第２８の技術手段から第３０の技術手段のいずれか１の技術手段における送信装置で送信される信号を受信する受信装置であって、トラフィックチャネル信号をＯＦＣＤＭ復調してトラフィックチャネルデータの復調処理を行うトラフィックチャネル信号処理手段と、制御チャネル信号から制御チャネルデータの復調処理を行う制御チャネル信号処理手段と、制御チャネル信号とトラフィックチャネル信号が、互いに時間、周波数、コードのいずれでも直交しない信号と、互いに時間、周波数、コードのいずれかに直交する信号のどちらでも復調できるように時間、周波数またはコードを切り替える切替手段と、制御チャネルを復調して得られた受信シンボルもしくは受信データから受信信号に多重化された制御チャネル信号の複製を生成する複製手段と、受信信号から制御チャネル信号成分を除去する除去手段とを含む制御チャネルキャンセラー手段と、備え、制御チャネルキャンセラー手段は、通信路の品質、および直交する信号か直交しない信号かに応じて、複製手段により複製された信号を利用して、除去手段により受信信号から制御チャネルのキャンセリングを実行するか否かを判断し、選択して、トラフィックチャネルの復調を行うことを特徴としたものである。【００６１】
第４１の技術手段は、直交周波数分割多重（ＯＦＤＭ）技術を使用し、ＯＦＤＭ技術によりＯＦＤＭ変調された信号は複数のサブキャリアまたは複数のＯＦＤＭシンボル、あるいはその両方の領域にわたって拡散された信号であることを特徴とした変調方式（ＯＦＣＤＭ変調）を用いる送信装置であって、トラフィックチャネルデータ１をＯＦＣＤＭ変調してトラフィックチャネル信号１を生成するトラフィックチャネル信号１生成手段と、トラフィックチャネル１の信号に対して、時間、周波数、コードのいずれでも直交しない信号を用い、トラフィックチャネルデータ１に比較して、低速なトラフィックチャネルデータであるトラフィックチャネルデータ２からトラフィックチャネル信号２を生成するトラフィックチャネル信号２生成手段と、トラフィックチャネル信号１とトラフィックチャネル信号２を多重化することによって送信信号を生成する送信信号生成手段と、を備えることを特徴としたものである。【００６２】
第４２の技術手段は、直交周波数分割多重（ＯＦＤＭ）技術を使用し、ＯＦＤＭ技術によりＯＦＤＭ変調された信号は複数のサブキャリアまたは複数のＯＦＤＭシンボル、あるいはその両方の領域にわたって拡散された信号であることを特徴とした変調方式（ＯＦＣＤＭ変調）を用いる送信装置であって、トラフィックチャネルデータ１をＯＦＣＤＭ変調してトラフィックチャネル信号１を生成するトラフィックチャネル信号１生成手段と、トラフィックチャネルデータ２を任意の方式で変調してトラフィックチャネル２の信号を生成するトラフィックチャネル２信号生成手段と、トラフィックチャネル２の信号とトラフィックチャネル１の信号が、互いに時間、周波数、コードのいずれでも直交しない信号と、互いに時間、周波数、コードのいずれかに直交する信号とに、切り替える切替手段と、トラフィックチャネル信号１とトラフィックチャネル信号２を多重化することによって送信信号を生成する送信信号生成手段と、を備えることを特徴としたものである。【００６３】
第４３の技術手段は、第４２の技術手段において、切替手段は、通信路の品質が良好である場合に直交しない信号に切り替え、通信路の品質が劣悪である場合に直交する信号に切り替えることを特徴としたものである。【００６４】
第４４の技術手段は、第４２の技術手段において、切替手段は、トラフィックチャネル１の信号で現在使用されている拡散コード数に応じて、直交しない信号と直交する信号とを切り替えることを特徴としたものである。【００６５】
第４５の技術手段は、第４１の技術手段から第４４の技術手段のいずれか１の技術手段において、トラフィックチャネル信号２生成手段により生成されるトラフィックチャネル２の信号は、ＯＦＣＤＭ変調された信号であることを特徴としたものである。【００６６】
第４６の技術手段は、第４１の技術手段において、トラフィックチャネル信号２生成手段は、低レートのブロック符号による符号化手段と、その符号語が単一のＯＦＤＭシンボルの複数のサブキャリアを用いて送信されるように配置する手段と、を含むことを特徴としたものである。【００６７】
第４７の技術手段は、第４１の技術手段から第４６の技術手段のいずれか１の技術手段における送信装置で送信される信号を受信する受信装置であって、トラフィックチャネル信号１をＯＦＣＤＭ復調してトラフィックチャネルデータ１の復調処理を行うトラフィックチャネル１信号処理手段と、トラフィックチャネル信号２から、トラフィックチャネルデータ１に比較して、低速なトラフィックチャネルデータであるトラフィックチャネルデータ２の復調処理を行うトラフィックチャネル２信号処理手段と、受信信号に多重化されたトラフィックチャネル信号２の複製を生成する手段と、受信信号からトラフィックチャネル信号２の成分を除去する手段とを含むトラフィックチャネル２キャンセラー手段と、を備えることを特徴としたものである。【００６８】
第４８の技術手段は、第４７の技術手段において、トラフィックチャネル２を復調し、誤り訂正符号復号化手段により復号することによって得られたトラフィックチャネルデータ２から、トラフィックチャネルキャンセラー手段により、受信信号に多重化されたトラフィックチャネル信号２の複製を生成し、受信信号からトラフィックチャネル２の信号成分を除去することを特徴としたものである。【００６９】
第４９の技術手段は、第４７の技術手段において、トラフィックチャネル信号２を復調し、信号点の判定を行う判定手段によって得られたトラフィックチャネル２のシンボルから、トラフィックチャネルキャンセラー手段によって、受信信号に多重化されたトラフィックチャネル信号２の複製を生成し、受信信号からトラフィックチャネル信号２の成分を除去することを特徴としたものである。【００７０】
第５０の技術手段は、第４７の技術手段において、トラフィックチャネルキャンセラー手段は、トラフィックチャネル２を復調し、判定手段により、信号点の判定を行うことによって得られたトラフィックチャネル２のシンボルから受信信号に多重化されたトラフィックチャネル信号２の複製を生成して、受信信号からトラフィックチャネル信号２の成分を除去するキャンセリング（１）手段と、トラフィックチャネル２を復調し、誤り訂正符号復号化手段により復号することによって得られるトラフィックチャネルデータ２から受信信号に多重化されたトラフィックチャネル信号２の複製を生成して、受信信号からトラフィックチャネル２の信号成分を除去するキャンセリング（２）手段と、を備え、通信路の品質によって、キャンセリング（１）手段、キャンセリング（２）手段、及びキャンセリングを実行させない手段のいずれかを選択してトラフィックチャネル１の復調を行うことを特徴としたものである。【００７１】
第５１の技術手段は、第４７の技術手段において、トラフィックチャネルキャンセラー手段は、トラフィックチャネル２を復調、判定することによって得られたトラフィックチャネル２のシンボルから受信信号に多重化されたトラフィックチャネル２の信号の複製を生成して、受信信号からトラフィックチャネル信号２の成分を除去するキャンセリング（１）手段と、トラフィックチャネル２を復調・復号することによって得られたトラフィックチャネルデータ２から受信信号に多重化されたトラフィックチャネル２の複製を生成して、受信信号からトラフィックチャネル信号２の成分を除去するキャンセリング（２）手段と、の二つのキャンセリング手段のうちのいずれか一方のキャンセリング手段のみを備え、通信路の品質によって、キャンセリングを実行するか否かのどちらかを選択してトラフィックチャネル１の復調を行うことを特徴としたものである。【００７２】
第５２の技術手段は、第４２の技術手段から第４４の技術手段のいずれか１の技術手段における送信装置で送信される信号を受信する受信装置であって、トラフィックチャネル信号１をＯＦＣＤＭ復調してトラフィックチャネルデータ１の復調処理を行うトラフィックチャネル１信号処理手段と、トラフィックチャネル信号２を復調してトラフィックチャネルデータ２の復調処理を行うトラフィックチャネル２信号処理手段と、トラフィックチャネル信号１とトラフィックチャネル信号２が、互いに時間、周波数、コードのいずれでも直交しない信号と、互いに時間、周波数、コードのいずれかに直交する信号のどちらでも復調できるように時間、周波数またはコードを切り替える切替手段と、トラフィックチャネル信号２を復調して得られた受信シンボルもしくは受信データから受信信号に多重化されたトラフィックチャネル信号２の複製を生成する複製手段と、受信信号からトラフィックチャネル信号２の成分を除去する除去手段とを含むトラフィックチャネル２キャンセラー手段と、を備え、トラフィックチャネル信号２が直交する信号であれば、そのままトラフィックチャネルデータ１の復調を行い、トラフィックチャネル信号２が直交しない信号であれば、トラフィックチャネル２キャンセラー手段により複製された信号を受信信号からトラフィックチャネル信号２をキャンセリングした後にトラフィックチャネルデータ１の復調を行うことを特徴としたものである。【００７３】
第５３の技術手段は、第４２の技術手段から第４４の技術手段のいずれか１の技術手段における送信装置で送信される信号を受信する受信装置であって、トラフィックチャネル信号１をＯＦＣＤＭ復調してトラフィックチャネルデータ１の復調処理を行うトラフィックチャネル１信号処理手段と、トラフィックチャネル信号２を復調してトラフィックチャネルデータ２の復調処理を行うトラフィックチャネル２信号処理手段と、トラフィックチャネル信号１とトラフィックチャネル信号２が、互いに時間、周波数、コードのいずれでも直交しない信号と、互いに時間、周波数、コードのいずれかに直交する信号のどちらでも復調できるように時間、周波数またはコードを切り替える切替手段と、トラフィックチャネル信号２を復調して得られた受信シンボルもしくは受信データから受信信号に多重化されたトラフィックチャネル信号２の複製を生成する複製手段と、受信信号からトラフィックチャネル信号２の成分を除去する除去手段とを含むトラフィックチャネル２キャンセラー手段と、を備え、トラフィックチャネル２キャンセラー手段は、通信路の品質、および直交する信号か直交しない信号かに応じて、複製手段により複製された信号を利用して、除去手段により受信信号からトラフィックチャネル信号２のキャンセリングを実行するか否かを判断し、選択して、トラフィックチャネルデータ１の復調を行うことを特徴としたものである。【００７４】
第５４の技術手段は、第２７の技術手段から第３２の技術手段のいずれか１の技術手段における送信装置と、第３３の技術手段から第３８の技術手段のいずれか１の技術手段における受信装置と、を備えたことを特徴とするデータ通信システムである。【００７５】
第５５の技術手段は、第２８の技術手段から第３１の技術手段のいずれか１の技術手段における送信装置と、第３９の技術手段または第４０の技術手段における受信装置とを備えたことを特徴とするデータ通信システムである。【００７６】
第５６の技術手段は、第４１の技術手段から第４６の技術手段のいずれか１の技術手段における受信装置と、第４７の技術手段から第５１の技術手段のいずれか１の技術手段における受信装置と、を備えたことを特徴とするデータ通信システムである。【００７７】
第５７の技術手段は、第４２の技術手段から第４５の技術手段のいずれか１の技術手段における送信装置と、第５２の技術手段または第５３の技術手段のいずれか１の技術手段における受信装置と、を備えたことを特徴とするデータ通信システムである。
【発明の効果】
【００７８】
ＳＣＳ−ＭＣ−ＣＤＭＡの様に複数のサブキャリアの一部を制御チャネルとして割り当てると、特定のサブキャリアがデータ伝送に使えなくなる。また、ＶＳＦ−ＯＦＣＤＭの様にトラフィックチャネルと制御チャネルに直交する符号を割り当てると、拡散率分のコードをトラフィックチャネルに割り当てる事ができなくなる。例えばトラフィックチャネルの拡散率を８とした場合、制御チャネルが低速で必要な伝送速度に対応する拡散率が１２８であったとしても、トラフィックチャネルには７コードしか割り当てることができず伝送速度が低下する。【００７９】
これに対して、本発明ではトラフィックチャネルの伝送速度を低下させること無く制御チャネルを多重することが可能となる。さらに、制御チャネル成分を除去するキャンセラを用いる事によりトラフィックチャネルの品質劣化は最小限に抑えることができる。【００８０】
また、本発明に係る送信装置、受信装置及び通信システムによれば、制御チャネルとしてＯＦＣＤＭを用いる場合には、通信路の品質や使用中のコード数により、トラフィックチャネルで使用する拡散コードに対して直交するコードを使用したり、直交しないコードを使用したりすることで、さらに効率よく伝送することが可能となる。
【図面の簡単な説明】
【００８１】
【図１】本発明の実施例１に係る送信機のブロック図である。
【図２】本発明の実施例１に係るトラフィックチャネル信号生成部および制御チャネル信号生成部のブロック図である。
【図３】本発明の実施例２に係る制御チャネル信号生成部のブロック図である。
【図４】本発明の実施例３に係る制御チャネル信号生成部のブロック図である。
【図５】本発明の実施例４に係る送信機のブロック図である。
【図６】本発明の実施例４に係るトラフィックチャネル信号制御チャネル信号生成部のブロック図である。
【図７】本発明の実施例５に係る送信機のブロック図である。
【図８】本発明の実施例５に係るトラフィックチャネル制御チャネル信号生成部のブロック図である。
【図９】本発明の実施例６に係る受信機のブロック図である。
【図１０】本発明の実施例６および７に係る制御チャネル信号キャンセラ部のブロック図である。
【図１１】本発明の実施例７に係る受信機のブロック図である。
【図１２】本発明の実施例７および９に係る制御チャネル信号キャンセラ部のブロック図である。
【図１３】本発明の実施例８に係る受信機のブロック図である。
【図１４】本発明の実施例９に係る受信機のブロック図である。
【図１５】本発明の実施例１０に係る受信機のブロック図である。
【図１６】本発明の実施例１０に係る制御チャネル信号キャンセラ部のブロック図である。
【図１７】本発明の実施例１１に係る受信機の流れ図である。
【図１８】本発明の実施例１２に係る受信機の流れ図である。
【図１９】本発明の実施例１３に係る送信機のブロック図である。
【図２０】本発明の実施例１３に係る送信機のトラフィックチャネル信号生成部および制御チャネル信号生成部のブロック図である。
【図２１】本発明の実施例１４に係る送信機の制御チャネル信号生成部のブロック図である。
【図２２】本発明の実施例１５に係る送信機の制御チャネル信号生成部のブロック図である。
【図２３】本発明の実施例１６に係る送信機のブロック図である。
【図２４】本発明の実施例１６に係る送信機のトラフィックチャネル信号制御チャネル信号生成部のブロック図である。
【図２５】本発明の実施例１７に係る送信機のブロック図である。
【図２６】本発明の実施例１７に係るトラフィックチャネル制御チャネル信号生成部のブロック図である。
【図２７】本発明の実施例１８に係る受信機のブロック図である。
【図２８】本発明の実施例１８に係る受信機の制御チャネル信号キャンセラ部のブロック図である。
【図２９】本発明の実施例１９に係る受信機のブロック図である。
【図３０】本発明の実施例１９に係る受信機の制御チャネル信号キャンセラ部のブロック図である。
【図３１】本発明の実施例２０に係る受信機のブロック図である。
【図３２】本発明の実施例２１に係る受信機のブロック図である。
【図３３】本発明の実施例２２に係る受信機のブロック図である。
【図３４】本発明の実施例２２に係る受信機の制御チャネル信号キャンセラ部のブロック図である。
【図３５】本発明の実施例２３に係る送信機のトラフィックチャネル信号生成部、制御チャネル信号生成部、および直交コード生成部のブロック図である。
【図３６】本発明の実施例２４に係る受信機のブロック図である。
【図３７】本発明の実施例２５に係る受信機のブロック図である。
【図３８】本発明の実施例２０及び２１に係る受信機の動作フローを示すフローチャートである。
【図３９】本発明の実施例２０及び２１に係る受信機の動作フローを示すフローチャートである。
【図４０】本発明の実施例２５に係る受信機の動作フローを示すフローチャートである。
【図４１】一般的なＯＦＤＭのブロック図である。
【図４２】ＯＦＤＭ信号のガードインターバルを示す図である。
【図４３】ＯＦＤＭ信号の構成を示す図である。
【図４４】ＯＦＣＤＭ信号の構成を示す図である。
【図４５】一般的なＯＦＣＤＭのブロック図である。
【符号の説明】
【００８２】
１，５，２４，１００，１０４，１０２３，１１２１，１４４４…ＦＥＣ  Ｅｎｃｏｄｅｒ、２，６，２５，１０１，１０５，１０２５，１１２２，１４４５…Ｉｎｔｅｒｌｅａｖｅｒ、３，７，２６，１０２，１０６，７０２，１０２６，１１２３，１２２６，１４４６…ＭＯＤ、４，１０３…トラフィックチャネル信号生成部、８，１０７，３００，４００…制御チャネル信号生成部、９…トラフィックチャネル制御チャネル信号生成部、１１…タイミング検出／チャネル推定処理、１２，２３４，９５０，１０１１，１１１０，１２１０，１３１０，１４１０…Ｒｅｍｏｖｅ  ＧＩ、１３，９０４，９５６，１０１２，１１２４，１２１７，１４２０…メモリ、１４，９０５，９５７，１０１３，１１２５，１２１８，１４４７…制御チャネル信号キャンセラ部、１５…逆拡散処理、１６，２１，１５６，９０８，９１１，９５３，９６１，１０２０，１０３３，１１１８，１１２９，１２２２，１３６１，１３６４，１４４１，１４４９…Ｄｅｍｏｄ、１７，２２，９０９，９１２，９５４，９６２，１０２１，１０３４，１１１９，１１３０，１２２３，１３６２，１３６５，１４４２，１４５０…Ｄｅｉｎｔｅｒｌｅａｖｅｒ、１８，２３，１５７，９１０，９１３，９６３，９７５，１０２２，１０３５，１１２０，１１３１，１２２４，１３６３，１３６６，１４４３，１４５１…Ｄｅｃｏｄｅｒ、１９，９０７，９５５…Ｄｅｃｉｓｉｏｎ、２０，９５８，１１２６，１２１９…トラフィックチャネル処理、４１，８１，８７，９１，９２，１４１，１５１，２０１，２３０，２３０ａ，２３０ｂ，２３６，９２０ａ，９２０ｂ，９３０，９７０，９８０，１０１５，１０２８，１１１３，１２１３，１３２０…Ｓ／Ｐ変換、４４，８５，９７，１５５，２０４，２０５，２３２，２３２ａ，２３２ｂ，２３８，９２４ａ，９２４ｂ，９３３，９６０，９７４，１０１９，１０３２，１１１７，１１２８，１２１６，１２２１…Ｐ／Ｓ変換、４２，８３，９５，１４３，２０２ａ，２０２ｂ…スクランブル、８２，８８，９０，９３，９９，１４２，２０１ａ，２０１ｂ，３０１，４０１…周波数領域拡散処理、４３，８４，９６，２３１，２３１ａ，２３１ｂ，９３２…ＩＦＦＴ処理、４５，８６，９８，２３３，２３３ａ，２３３ｂ…Ａｄｄ  ＧＩ、８９，３０２…ＭＵＸ、１４４…チャネル推定値乗算、９４，１４７，１４８…＋、１５２，２０２，２３７，９２１ａ，９２１ｂ，９７１，１０１６，１０２９，１１１４，１２１４，１３３０…ＦＦＴ処理、１５３，２０３，９２２ａ，９２２ｂ，９７２，１０１７，１０３０，１１１５，１２１５…デスクランブル、１０８，１３５０，１４４０…直交コード生成部、１０９…直交コード生成器１、１１０…直交コード生成器２、１１１…コード切り替え器、２３５…タイミング検出器、２４０…ＧＩ、５００，７００…トラフィックチャネル及び制御チャネル信号生成部、５０１，９３４…加算器、７０１，１２２５…Ｅｎｃ、２７１，９００，９５１，１０１０，１２１１，１３００，１４００…タイミング検出及びチャネル推定処理、９０３，１１１２…制御チャネル信号処理部、１２１２，１４３０…制御チャネルデータ信号処理部、１３４０…制御チャネルデータ信号処理部（２）、９０６，９５２，１０１４，１０２７，１４４８…トラフィックチャネル信号処理部、１３６０…トラフィックデータ信号処理部（２）、１５４，２７２，９２３ａ，９２３ｂ，９５９，９７３，１０１８，１０３１，１１１６，１１２７，１２２０…周波数領域逆拡散処理、２７０ａ，２７０ｂ，９３１ａ，９３１ｂ…コピー器。
【発明を実施するための最良の形態】
【００８３】
（実施例１）
多くの無線通信システムでは、音声データ、映像データ、その他のパケットデータなどユーザ端末と相手端末の間でやりとりされるトラフィックデータに加え、ユーザ端末がその無線通信システム上で動作するためにシステムとやりとりする制御情報や、送信されるトラフィックデータの属性を示す制御情報が通信される。【００８４】
図１に示されるように、本発明ではトラフィックチャネルデータと制御チャネルデータはそれぞれ別々にＦＥＣ  Ｅｎｃｏｄｅｒ１，５で符号化され、Ｉｎｔｅｒｌｅａｖｅｒ２，６でインターリーブされ、ＭＯＤ３，７で変調処理され、トラフィックチャネルデータシンボルはトラフィックチャネル信号生成部４でトラフィックチャネル信号に変換され、制御チャネルシンボルは制御チャネル信号生成部８で制御チャネル信号に変換される。これらの信号はそのまま加算されて送信される。【００８５】
トラフィックチャネル信号生成部４と制御チャネル信号生成部８の詳細は図２に示される。図２（Ａ）のトラフィックチャネル信号生成部４では、Ｓ／Ｐ変換（直並列変換）４１の後、セル固有のスクランブリングコードを乗算し（スクランブル４２）、逆高速フーリエ変換処理（ＩＦＦＴ処理）４３を行う。そしてＰ／Ｓ変換（並直列変換）４４により時間信号列にし、Ａｄｄ  ＧＩ４５でガードインターバルを付与する。【００８６】
図２（Ｂ）の制御チャネル信号生成部８では、Ｓ／Ｐ変換８１の後、制御チャネルシンボルが複数のサブキャリアで送信されるようにコピーし、拡散符号を乗算することで周波数領域拡散処理８２を行う。その後は、トラフィックチャネル信号生成部４と同様にセル固有のスクランブリングコードを乗算し（スクランブル８３）、逆高速フーリエ変換処理（ＩＦＦＴ処理）８４を行う。さらに、Ｐ／Ｓ変換８５して時間信号列にし、Ａｄｄ  ＧＩ８６でガードインターバルを付与する。【００８７】
（実施例２）
実施例１とは異なる制御チャネルの生成方法を用いる送信信号生成の実施例を示す。図１のブロック図と、図２のトラフィックチャネル信号生成部４は実施例１と共通であるが、本実施例は、実施例１とは制御チャネル信号生成部８の構成が異なる。この部分を図３に示す。図３の制御チャネル信号生成部８では、制御チャネルシンボルをＳ／Ｐ変換８７により拡散符号に１シンボルずつ分配する。それぞれの拡散符号は符号長Ｎ（＝サブキャリア数）の直交する符号であり、この拡散符号を用いて拡散率Ｎの周波数領域拡散を行い（周波数領域拡散処理８８）、その後、ＭＵＸ８９でコード多重を行う。そしてセル固有のスクランブリングコードを乗算し逆フーリエ変換処理（ＩＦＦＴ処理）８４を行い、さらに、Ｐ／Ｓ変換８５により時間信号列にし、Ａｄｄ ＧＩ８６でガードインターバルを付与する。【００８８】
実施例２では実施例１に比べて、拡散率を大きくすることができる。拡散率が大きくなった分だけ、コード多重を行うので制御チャネルの伝送速度は変わらない。実施例２の方法を用いると拡散率を大きくすることでトラフィックチャネルからの干渉を平均化できる。また、周波数領域に広く拡散することによって、周波数ダイバーシティ効果を大きくする事ができる。【００８９】
（実施例３）
実施例１とは異なる制御チャネルの生成方法を用いる送信信号生成の別の実施例を示す。本実施例では、図１のブロック図と、図２のトラフィックチャネル信号生成部４は実施例１と共通である。本実施例の制御チャネル信号生成部８の構成を図４に示す。制御チャネル信号生成部８では、Ｓ／Ｐ変換８７により制御チャネルシンボルを拡散符号に分配する。その後さらにＳ／Ｐ変換して周波数領域拡散を行い（周波数領域拡散処理９０）、ＭＵＸ８９でコード多重を行う。その後セル固有のスクランブリングコードを乗算し（スクランブル８３）、逆高速フーリエ変換処理（ＩＦＦＴ処理）８４を行う。さらに、Ｐ／Ｓ変換８５により時間信号列にした後、Ａｄｄ ＧＩ８６にてガードインターバルを付与する。【００９０】
実施例３の方式は、実施例１と２の中間的な方法と考えられる。サブキャリア数が大きくなると拡散率とサブキャリア数が等しい実施例２では構成が複雑になる。そこで、ある程度の拡散率を大きくして干渉の平均化効果とダイバーシティ効果を得つつ複雑さを抑える実施例３の方法が有効になる。【００９１】
（実施例４）
図１では説明を簡単にするために、時間領域のトラフィックチャネル信号と制御チャネル信号を生成する処理を完全に別々に記したが、トラフィックチャネルと制御チャネルで同一のスクランブリングコードを用いる場合には、スクランブリングコードを乗算する処理から以降は共通化する事が可能である。図５は、本発明の第４の実施例に係る送信機のブロック図で、図６は、図５に示すトラフィックチャネル制御チャネル信号生成部を詳細に説明するためのブロック図である。【００９２】
図５に示すように、トラフィックチャネルデータと制御チャネルデータはそれぞれ別々にＦＥＣ  Ｅｎｃｏｄｅｒ１，５で符号化、Ｉｎｔｅｒｌｅａｖｅｒ２，６でインターリーブ、ＭＯＤ３，７で変調処理され、トラフィックチャネルシンボル及び制御チャネルシンボルが、トラフィックチャネル制御チャネル信号生成部９に入力する。【００９３】
図６に示すように、トラフィックチャネル制御チャネル信号生成部９では、Ｓ／Ｐ変換９１を行ったトラフィックチャネルシンボルと、Ｓ／Ｐ変換９２を行った後周波数領域拡散処理９３を行った制御チャネルシンボルの対応するサブキャリア成分をそれぞれ加算し（＋９４）、セル固有のスクランブリングコードを乗算し（スクランブル９５）、逆フーリエ変換処理（ＩＦＦＴ処理）９６を行い、Ｐ／Ｓ変換９７により時間信号列にした後、Ａｄｄ ＧＩ９８でガードインターバルを付与する。【００９４】
（実施例５）
図７は、本発明の実施例５に係る送信機のブロック図で、図８は、本実施例のトラフィックチャネル制御チャネル信号生成部のブロック図である。
図７に示すように、本実施例の送信機は、制御チャネルデータがそのままトラフィックチャネル制御チャネル信号生成部９に入力される。トラフィックチャネルデータの処理は、上記実施例４（図５）と同様であるため、繰り返しの説明は省略する。【００９５】
本実施例では、図８に示すように、トラフィックチャネル制御チャネル信号生成部９では、制御チャネルデータはＳ／Ｐ変換９２を行った後、周波数領域拡散処理９９が行われる。ここでは、Ｓ／Ｐ変換された制御チャネルデータは、ブロック符号器（Ｅｎｃ）でブロック符号化され、モジュレータ（ＭＯＤ）にて各サブキャリア成分として変調される。【００９６】
上記ブロック符号器（Ｅｎｃ）はｋビットの入力情報ビットに対してｎビットの符号語を出力するブロック符号器である。ここで、ｎはサブキャリア数Ｎの約数であることが望ましい。ｎをＮの約数であるとし、各サブキャリアの変調方式をＢＰＳＫと仮定すると、制御チャネルデータはＳ／Ｐ変換９２においてｋ・Ｎ/ｎビット単位で直並列変換される。
そして並列に置かれたブロック符号器（Ｅｎｃ）で符号化処理が行われ、Ｎビットが出力される。Ｎビットはそれぞれのサブキャリア成分としてＢＰＳＫ変調され、トラフィックチャネル信号と多重化される（＋９４）。
また、図８において、トラフィックチャネル信号の処理は、上記実施例４（図６）と同じであるので、繰り返しの説明を省略する。【００９７】
（実施例６）
図９は、本発明の第６の実施例に係る受信機の構成を示すブロック図である。本実施例では、受信される信号は実施例１または実施例４に示されるような送信機から送信された信号が、無線通信路を経て受信されたものと仮定する。
まず、タイミング検出／チャネル推定処理１１によりタイミング検出とチャネル推定が行われ、ＦＦＴ処理を行うための受信信号を切り出すタイミングと、チャネル推定値が求められる。このチャネル推定値から、ＦＦＴ後に各サブキャリアに乗算される重み係数が決められる。ここでは、重み係数は通信路の各サブキャリアの周波数成分に対応する通信路利得の複素共役としているが、重み係数の決定方法はこの方法に限定するものではない。また、チャネル推定値は制御チャネル信号キャンセラ部において、制御チャネル信号の複製を生成する際にも用いられる。【００９８】
受信信号は、Ｒｅｍｏｖｅ  ＧＩ１２にてガードインターバルが取り除かれ、一旦メモリ１３に蓄えられて、先に制御チャネルの復調が行われる。制御チャネルは周波数領域拡散を行うＯＦＣＤＭ変調が行われているので、拡散に用いられた拡散符号の複素共役とタイミング検出／チャネル推定処理１１で求められた重み係数を用いて逆拡散処理１５が行われる。ここでは、Ｓ／Ｐ変換１５１、ＦＦＴ処理１５２、デスクランブル１５３、周波数領域逆拡散１５４、Ｐ／Ｓ変換１５５が実行される。
そして、逆拡散処理の後、デモジュレータ（Ｄｅｍｏｄ）１６、デインターリーバ（Ｄｅｉｎｔｅｒｌｅａｖｅｒ）１７、デコーダ（Ｄｅｃｏｄｅｒ）１８を経て制御チャネルデータが得られる。【００９９】
また逆拡散後、Ｄｅｃｉｓｉｏｎ１９にてシンボルの判定を行い、制御チャネル信号キャンセラ部で制御チャネル信号の複製を作成し、制御チャネル信号キャンセラ部１４では、メモリ１３に蓄えられていた受信信号から制御チャネル信号成分を除去し、トラフィックチャネルのＯＦＤＭ復調処理２０が行われる。ここでは、Ｓ／Ｐ変換２０１、ＦＦＴ処理２０２、デスクランブル２０３、Ｐ／Ｓ変換２０４が行われる。そして、デモジュレータ（Ｄｅｍｏｄ）２１、デインターリーバ（Ｄｅｉｎｔｅｒｌｅａｖｅｒ）２２、デコーダ（Ｄｅｃｏｄｅｒ）２３で誤り訂正復号を行い、トラフィックチャネルデータを得る。【０１００】
制御チャネル信号キャンセラ部１４の詳細は図１０に示される。判定された制御チャネルシンボルに対して、図２の制御チャネル信号生成部８と同様に、Ｓ／Ｐ変換１４１を行った後、制御チャネルシンボルが複数のサブキャリアで送信されるようにコピーし、拡散符号を乗算することで周波数領域拡散を行い（周波数領域拡散処理１４２）、さらに、セル固有のスクランブリングコードを乗算する（スクランブル１４３）。ここで、チャネル推定部で求めたチャネル推定値を各サブキャリア成分に乗算した後（チャネル推定値乗算１４４）、逆高速フーリエ変換処理（ＩＦＦＴ処理）１４５、Ｐ／Ｓ変換１４６を行って、制御チャネル信号の時間信号の複製を得る。この複製信号をメモリに蓄えられていた受信信号から引くことによって（＋１４７）、制御チャネル信号がキャンセルされた受信信号を得る。【０１０１】
（実施例７）
図９および図１０では、時間領域の信号でキャンセルを行っているが、図１１および図１２に示されるように周波数領域で各サブキャリア毎にキャンセリングを行う事も可能である。図１１は、本発明の第７の実施例に係る受信機の構成を示すブロック図である。
本実施例では、Ｒｅｍｏｖｅ ＧＩ１２でガードインターバルが取り除かれた受信信号は、逆拡散処理１５が行われる。ここでは、受信信号をＳ／Ｐ変換１５１し、ＦＦＴ処理１５２を行い各サブキャリア成分に変換し、デスクランブル１５３を行った時点の信号をメモリ１３に蓄積する。制御チャネル信号はそのまま周波数領域逆拡散処理１５４、Ｐ／Ｓ変換１５５を行った後シンボルの判定を行う（Ｄｅｃｉｓｉｏｎ１９）。制御チャネル信号キャンセラ部１４では、周波数領域で制御チャネル信号をキャンセルし、トラフィックチャネル処理２０ではＰ／Ｓ変換２０５を行って、Ｄｅｍｏｄ２１で復調し、Ｄｅｉｎｔｅｒｌｅａｖｅｒ２２でデインターリーブし、デコーダ（Ｄｅｃｏｄｅｒ）２３を経てトラフィックチャネルデータを出力する。その他、図９と同様の機能については繰り返しの説明は省略する。【０１０２】
図１２は、図１１の制御チャネル信号キャンセラ部１４の詳細を示す図である。ここでは、判定された制御チャネルシンボルに対して、Ｓ／Ｐ変換１４１を行い、拡散符号を乗算して周波数領域拡散１４２を行う。そして、タイミング検出／チャネル推定処理１１で求めたチャネル推定値を各サブキャリア成分に乗算するチャネル推定値乗算１４４を行った後、メモリ１３に蓄えられていたデスクランブル時の信号（キャンセラ）から差し引いて（＋１４８）、制御チャネル信号がキャンセルされた受信信号を得る。【０１０３】
（実施例８）
図１３は、本発明の第８の実施例に係る受信機の構成を示すブロック図である。まず、タイミング検出／チャネル推定処理１１によりタイミング検出とチャネル推定が行われ、ＦＦＴ処理を行うための受信信号を切り出すタイミングと、チャネル推定値が求められる。このチャネル推定値から、ＦＦＴ後に各サブキャリアに乗算される重み係数が決められる。【０１０４】
受信信号は、Ｒｅｍｏｖｅ  ＧＩ１２にてガードインターバルが取り除かれ、一旦メモリ１３に蓄えられて、先に制御チャネルの復調が行われる。制御チャネルは周波数領域拡散を行うＯＦＣＤＭ変調が行われているので、拡散に用いられた拡散符号の複素共役とタイミング検出／チャネル推定処理１１で求められた重み係数を用いて逆拡散処理１５が行われる。ここでは、Ｓ／Ｐ変換１５１、ＦＦＴ処理１５２、デスクランブル１５３、周波数領域逆拡散１５４、Ｐ／Ｓ変換１５５が実行される。
そして、逆拡散処理の後、デモジュレータ（Ｄｅｍｏｄ）１６、デインターリーバ（Ｄｅｉｎｔｅｒｌｅａｖｅｒ）１７、デコーダ（Ｄｅｃｏｄｅｒ）１８を経て制御チャネルデータが得られる。【０１０５】
本実施例は、デコーダ（Ｄｅｃｏｄｅｒ）１８で復号された制御チャネルデータは、再度ＦＥＣ Ｅｎｃｏｄｅｒ２４で符号化され、Ｉｎｔｅｒｌｅａｖｅｒ２５でインターリーブされ、ＭＯＤ２６で変調されて、制御チャネル信号キャンセラ部１４に送られる。
制御チャネル信号キャンセラ部１４は、既に説明した図１０のブロックと同じであり、Ｓ／Ｐ変換１４１を行った後、制御チャネルシンボルが複数のサブキャリアで送信されるようにコピーし、拡散符号を乗算することで周波数領域拡散を行い（周波数領域拡散処理１４２）、さらに、セル固有のスクランブリングコードを乗算する（スクランブル１４３）。ここで、チャネル推定部で求めたチャネル推定値を各サブキャリア成分に乗算した後（チャネル推定値乗算１４４）、逆フーリエ変換処理（ＩＦＦＴ処理）１４５、Ｐ／Ｓ変換１４６を行って、制御チャネル信号の時間信号の複製を得る。この複製信号をメモリに蓄えられていた受信信号から引くことによって（＋１４７）、制御チャネル信号がキャンセルされた受信信号を得る。【０１０６】
そして、トラフィックチャネルのＯＦＤＭ復調処理２０が行われる。ここでは、Ｓ／Ｐ変換２０１、ＦＦＴ処理２０２、デスクランブル２０３、Ｐ／Ｓ変換２０４が行われる。そして、デモジュレータ（Ｄｅｍｏｄ）２１、デインターリーバ（ｄｅｉｎｔｅｒｌｅａｖｅｒ）２２、デコーダ（Ｄｅｃｏｄｅｒ）２３で誤り訂正復号を行い、トラフィックチャネルデータを得る。【０１０７】
（実施例９）
図１４は、本発明の第９の実施例に係る受信機の構成を示すブロック図である。Ｒｅｍｏｖｅ ＧＩ１２でガードインターバルが取り除かれた受信信号は、逆拡散処理１５が行われるが、ここでは、受信信号をＳ／Ｐ変換１５１し、ＦＦＴ処理１５２を行い各サブキャリア成分に変換し、デスクランブル１５３を行った時点の信号をメモリ１３に蓄積する。制御チャネル信号はそのまま周波数領域逆拡散処理１５４、Ｐ／Ｓ変換１５５を行う。
そして逆拡散処理の後、デモジュレータ（Ｄｅｍｏｄ）１６、デインターリーバ（Ｄｅｉｎｔｅｒｌｅａｖｅｒ）１７、デコーダ（Ｄｅｃｏｄｅｒ）１８を経て制御チャネルデータが得られる【０１０８】
本実施例は、デコーダ（Ｄｅｃｏｄｅｒ）１８で一旦復号された制御チャネルデータは、再度ＦＥＣ Ｅｎｃｏｄｅｒ２４で符号化され、Ｉｎｔｅｒｌｅａｖｅｒ２５でインターリーブされ、ＭＯＤ２６で変調されて、制御チャネル信号キャンセラ部１４に送られる。
制御チャネル信号キャンセラ部１４は、既に説明した図１２のブロックと同じであり、判定された制御チャネルシンボルに対して、Ｓ／Ｐ変換１４１を行い、拡散符号を乗算して周波数領域拡散処理１４２を行う。そして、タイミング検出／チャネル推定処理１１にて求めたチャネル推定値を各サブキャリア成分に乗算するチャネル推定値乗算１４４を行った後、メモリ１３に蓄えられていたデスクランブル時の信号（キャンセラ）から差し引いて（＋１４８）、制御チャネル信号がキャンセルされた受信信号を得る。【０１０９】
そして、トラフィックチャネル処理２０では、Ｐ／Ｓ変換２０５を行い、Ｄｅｍｏｄ２１で復調し、Ｄｅｉｎｔｅｒｌｅａｖｅｒ２２でデインターリーブを行い、Ｄｅｃｏｄｅｒ２３でデコードしてトラフィックチャネルデータを出力する。【０１１０】
（実施例１０）
図１５は、本発明の第１０の実施例に係る受信機の構成を示すブロック図で、上記実施例５の送信機に対応する受信機の実施例を示すものである。また図１６は、本実施例の制御チャネル信号キャンセラ部のブロック図である。
図１５に示すように、本実施例の受信機において、Ｒｅｍｏｖｅ ＧＩ１２でガードインターバルが取り除かれた受信信号は、Ｓ／Ｐ変換１５１を行った後、ＦＦＴ処理１５２によって各サブキャリア成分に変換され、デスクランブル１５３を行った時点の信号をメモリ１３に蓄積する。そして各サブキャリア成分をデモジュレータ（Ｄｅｍｏｄ）１５６で復調後、デコーダ（Ｄｅｃｏｄｅｒ）１５７でブロック符号の復号処理が行われ、Ｐ／Ｓ変換１５５を行うことにより制御チャネルデータが得られる。【０１１１】
上述の実施例９の図1４の構成では、フレーム単位で誤り訂正符号の復号処理を行う必要があったため、各ＯＦＤＭシンボルを復調後Ｐ／Ｓ変換によって時系列データに変換しフレーム単位で復号する必要があったが、本実施例では符号長がサブキャリア数以下のブロック符号を用いているのでＯＦＤＭシンボルの単位で復号処理が可能になる。復号された制御チャネルデータは制御チャネル信号キャンセラ部１４に送られ、メモリ１３に蓄えられた受信信号から制御チャネル信号成分がキャンセルされ、さらにトラフィックチャネル処理２０でＰ／Ｓ変換２０５を行い、Ｄｅｍｏｄ２１で復調し、Ｄｅｉｎｔｅｒｌｅａｖｅｒ２２でデインターリーブを行い、Ｄｅｃｏｄｅｒ２３でデコードしてトラフィックチャネルデータが出力される。【０１１２】
図１６に示すように、制御チャネル信号キャンセラ部１４では、一旦復号された制御チャネル復号データが再度エンコーダ（Ｅｎｃ）１４５で符号化され、モジュレータ（Ｍｏｄ）１４６でサブキャリア毎に変調されたのち、チャネル推定値乗算１４４を行って制御チャネル信号の複製が得られる。これが、メモリ１３に蓄えられていたデスクランブル後の信号から差し引かれて（＋１４８）、キャンセラ出力信号が得られる。【０１１３】
（実施例１１）
図１７は、得られた制御情報からトラフィックチャネルが自局宛の情報を含むことが判明した場合のみ、トラフィックチャネルの信号を抽出する流れ図である。この流れ図は、図１３のブロック図あるいは図１４のブロック図に適用する。図１３の場合と図１４の場合でメモリに蓄積されてキャンセリング処理される信号が異なるが制御の流れは同じで、復号された制御情報から受信フレームのトラフィックチャネルに自局宛の情報が含まれるかどうかを判別し、自局宛の情報が含まれる場合のみ以降の再符号化・インターリーブ・変調、制御チャネルキャンセル、トラフィックチャネル受信処理を行う。【０１１４】
ここでは、まず信号が受信され（ステップＳ１）、その受信信号からガードインターバルが除去される（ステップＳ２）。そしてＳ／Ｐ変換，ＦＦＴ，デスクランブルの各処理が行われ（ステップＳ３）、周波数領域逆拡散が行われる（ステップＳ４）。さらに、制御チャネル復調，デインターリーブ，復号処理が行われる（ステップＳ５）。ここで図１３の構成の場合には、ステップＳ２でガードインターバルが除去された後、受信信号がメモリに保存される（ステップＳ１１）。また、図１４の構成では、ステップＳ３でデスクランブルが行われた後、受信信号がメモリに保存される（ステップＳ１２）。【０１１５】
次いで、復号された制御情報から、受信したフレーム内に自分宛のトラフィックチャネルデータが含まれるかどうかを判別する（ステップＳ６）。自分宛のトラフィックチャネルデータ含まれていれば、制御チャネルデータを再符号化し、インターリーブ、変調を行う（ステップＳ７）。そして制御チャネルをキャンセルし（ステップＳ８）、トラフィックチャネルの処理を行う（ステップＳ９）。また上記ステップＳ６で自分宛のトラフィックチャネルが受信したフレーム内に含まれていなければ、処理を終了する（ステップＳ１０）。【０１１６】
（実施例１２）
図１８もまた得られた制御情報からトラフィックチャネルが自局宛の情報を含むことが判明した場合のみ、トラフィックチャネルの信号を抽出する流れ図である。この流れ図は図１３のブロック図あるいは図１４のブロック図に適用する。図１３の場合と図１４の場合でメモリに蓄積されてキャンセリング処理される信号が異なるが、制御の流れは同じで、復号された制御情報から受信フレームのトラフィックチャネルに自局宛の情報が含まれるかどうかを判別し、自局宛の情報が含まれる場合のみ次の判定に進む。【０１１７】
ここでは、まず信号が受信され（ステップＳ２１）、その受信信号からガードインターバルが除去される（ステップＳ２２）。そしてＳ／Ｐ変換，ＦＦＴ，デスクランブルの各処理が行われ（ステップＳ２３）、周波数領域逆拡散が行われる（ステップＳ２４）。さらに、制御チャネル復調，デインターリーブ，復号処置が行われる（ステップＳ２５）。ここで図１３の構成の場合には、ステップＳ２２でガードインターバルが除去された後、受信信号がメモリに保存される（ステップＳ３２）。また、図１４の構成では、ステップＳ２３でデスクランブルが行われた後、受信信号がメモリに保存される（ステップＳ３３）。【０１１８】
そして、受信フレーム内に自分宛のトラフィックチャネルデータが含まれるかどうかを判別し（ステップＳ２６）、トラフィックチャネルデータが含まれるのであれば、次の判定ブロックであるステップＳ２７に進み、含まれなければ処理を終了する（ステップＳ３１）。【０１１９】
ステップＳ２７では、ＳＮＲが十分に高いかどうかを判断する。すなわち、チャネル推定部で測定した通信路状態情報、制御チャネルに含まれる変調・符号化パラメータなどから制御チャネル信号をキャンセルしなくてもトラフィックチャネルデータが正しく出力可能かどうかを判断し、制御チャネルキャンセルを行うかどうかを決定する。通信路品質が十分高い場合には、制御チャネル再符号化・インターリーブ・変調、制御チャネルキャンセルの処理を省略して、トラフィックチャネルの処理を行う（ステップＳ３０）。この場合、制御チャネルキャンセラはメモリからの入力をそのままトラフィックチャネル処理部に出力する。通信路品質が十分高くない場合には、制御チャネル再符号化、インターリーブ、変調処理を行って（ステップＳ２８）、さらに制御チャネルキャンセルの処理（ステップＳ２９）を行って、トラフィックチャネル処理を行う（ステップＳ３０）。【０１２０】
以上は、制御チャネルとトラフィックチャネルを多重化して送信するシステムについて述べたが、上記実施例１から９において、トラフィックチャネルを高速データを通信するトラフィックチャネル１に、制御チャネルを低速データを通信するトラフィックチャネル２に置き換えることにより、速度の異なる２つのトラフィックチャネルを多重化する場合の実施例とすることができる。【０１２１】
受信機の構成については、上記実施例１または４で示されるような送信機から送信された信号が、無線通信路を経て受信されたものと仮定したが、上記実施例２または３のような、制御チャネルに符号多重を用いた信号についても同様に構成することが可能であり、本発明の請求の範囲が単一のコードを用いた制御チャネルに対応する受信機に限定するものではない。【０１２２】
また、実施例の図では周波数領域拡散を用いるＯＦＣＤＭを用いて説明を行ったが、時間領域と周波数領域の２次元拡散を行うＯＦＣＤＭや時間領域の拡散を行うＯＦＣＤＭを用いても同様の効果が得られることは明白であり、本発明の請求の範囲の記載のＯＦＣＤＭは周波数領域拡散を用いるＯＦＣＤＭに限定するものではない。【０１２３】
（実施例１３）
図１９は、本発明の実施例１３に係る送信機のブロック図である。図１９以降の図面について、図４１から図４５（従来例）と重複する部分には同一の参照符号を附す。【０１２４】
多くの無線通信システムでは、音声データ、映像データ、その他のパケットデータなどユーザ端末と相手端末の間でやりとりされるトラフィックデータに加え、ユーザ端末がその無線通信システム上で動作するためにシステムとやりとりする制御情報や、送信されるトラフィックデータの属性を示す制御情報が通信される。【０１２５】
図１９に示されるように、本発明ではトラフィックチャネルデータと制御チャネルデータはそれぞれ別々にＦＥＣ  Ｅｎｃｏｄｅｒ１００、１０４で符号化され、Ｉｎｔｅｒｌｅａｖｅｒ１０１、１０５でインターリーブされ、ＭＯＤ１０２、１０６で変調処理され、トラフィックチャネルデータシンボルはトラフィックチャネル信号生成部１０３でトラフィックチャネル信号に変換され、制御チャネルシンボルは制御チャネル信号生成部１０７で制御チャネル信号に変換される。これらの信号はそのまま加算されて送信される。【０１２６】
図２０は、本発明の実施例１３に係る送信機のトラフィックチャネル信号生成部および制御チャネル信号生成部のブロック図である。【０１２７】
図２０（ａ）のトラフィックチャネル信号生成部１０３では、Ｓ／Ｐ変換２３０ａ（直並列変換）の後、周波数領域拡散処理部２０１ａでは、複数のサブキャリアで送信されるようにトラフィックチャネルシンボルをコピーし、拡散符号（ＣＴ０、ＣＴ１、ＣＴ２、ＣＴ３）を乗算することで周波数領域拡散処理を行う。その後は、セル固有のスクランブリングコードを乗算し（スクランブル）、逆高速フーリエ変換処理２３１ａ（ＩＦＦＴ処理）を行う。さらに、Ｐ／Ｓ変換２３２ａ（並直列変換）して時間信号列にし、ＡｄｄＧＩ２３３ａでＧＩ２４０を付与する。【０１２８】
図２０（ｂ）の制御チャネル信号生成部１０７についてもトラフィックチャネル信号生成部１０３と同様に、Ｓ／Ｐ変換２３０ｂの後、複数のサブキャリアで送信されるように制御チャネルシンボルをコピーし、拡散符号（ＣＣ０、ＣＣ１、ＣＣ２、ＣＣ３）を乗算することで周波数領域拡散処理２０１ｂを行う。その後は、セル固有のスクランブリングコードを乗算し（スクランブル２０２ｂ）、逆高速フーリエ変換処理（ＩＦＦＴ処理２３１ｂ）を行う。さらに、Ｐ／Ｓ変換２３２ｂして時間信号列にし、ＡｄｄＧＩ２３３ｂでＧＩ２４０を付与する。【０１２９】
ここで、トラフィックチャネル用拡散符号（ＣＴ０、ＣＴ１、ＣＴ２、ＣＴ３）と制御チャネル用拡散符号（ＣＣ０、ＣＣ１、ＣＣ２、ＣＣ３）は互いに直交しない符号を用いている。なお、本実施例ではトラフィックチャネル信号および制御チャネル信号ともに拡散率４の拡散を行っているが、互いに異なる拡散率で拡散を行っても構わない。【０１３０】
（実施例１４）
実施例１３とは異なる制御チャネルの生成方法を用いる送信信号生成の実施例１４を以下に説明する。【０１３１】
本実施例は、図１９及び図２０に示す実施例１３の構成と共通であるが、制御チャネル信号生成部１０７の構成が異なる。この部分の構成を図２１に示す。【０１３２】
図２１に示す制御チャネル信号生成部３００では、制御チャネルシンボルをＳ／Ｐ変換２３０ｂにより拡散符号に１シンボルずつ分配する。それぞれの拡散符号（ＣＣ０、ＣＣ１、…、ＣＣＮ−１）は符号長Ｎ（＝サブキャリア数）の直交する符号であり、この拡散符号を用いて拡散率Ｎの周波数領域拡散３０１を行い（周波数領域拡散処理）、その後、ＭＵＸ３０２でコード多重を行う。そしてセル固有のスクランブリングコードを乗算し逆フーリエ変換処理（ＩＦＦＴ処理２３１ｂ）を行い、さらに、Ｐ／Ｓ変換２３２ｂにより時間信号列にし、ＡｄｄＧＩ２３３ｂでＧＩ２４０を付与する。【０１３３】
ここで、トラフィックチャネル用拡散符号（ＣＴ０、ＣＴ１、ＣＴ２、ＣＴ３）と制御チャネル用拡散符号（ＣＣ０、ＣＣ１、…、ＣＣＮ−１）は互いに直交しない符号を用いている。ただし、先ほど述べたように制御チャネル用拡散符号同士は直交している。また、上述した実施例では１つのトラフィックチャネルしか生成していないが、複数のトラフィックチャネルが存在する場合には、それぞれのトラフィックチャネル用拡散符号同士は直交符号を用いることになる。【０１３４】
本実施例では実施例１３に比べて、拡散率を大きくすることができる。拡散率が大きくなった分だけ、コード多重を行うので制御チャネルの伝送速度は変わらない。実施例１４の方法を用いると拡散率を大きくすることでトラフィックチャネルからの干渉を平均化できる。また、周波数領域に広く拡散することによって、周波数ダイバーシティ効果を大きくする事ができる。【０１３５】
（実施例１５）
上記実施例１３および実施例１４とは異なる制御チャネルの生成方法を用いる送信信号生成の実施例１５を以下に説明する。本実施例は、図１９及び図２０のトラフィックチャネル信号生成部に示す基本ブロック図とは共通であり、図２０の制御チャネル信号生成部が異なった構成となっている。本実施例の制御チャネル信号生成部４００の構成を図２２に示す。制御チャネル信号生成部４００では、Ｓ／Ｐ変換２３０ｂにより制御チャネルシンボルを拡散符号に分配する。その後さらにＳ／Ｐ変換して周波数領域拡散を行い（周波数領域拡散処理４０１）、ＭＵＸ３０２でコード多重を行う。その後セル固有のスクランブリングコードを乗算し（スクランブル）、逆高速フーリエ変換処理（ＩＦＦＴ処理２３１ｂ）を行う。さらに、Ｐ／Ｓ変換２３２ｂにより時間信号列にした後、ＡｄｄＧＩ２３３ｂにてＧＩ２４０を付与する。【０１３６】
サブキャリア数が大きくなると、拡散率とサブキャリア数が等しい実施例１４では構成が複雑になる。そこで、ある程度拡散率を大きくして干渉の平均化効果とダイバーシティ効果を得つつ複雑さを抑える本実施例が有効になる場合がある。本実施例は、上記の意味で、実施例１３と実施例１４の中間的な構成である。【０１３７】
（実施例１６）
図１９では説明を簡単にするために、時間領域のトラフィックチャネル信号と制御チャネル信号を生成する処理を完全に別々の構成としているが、トラフィックチャネルと制御チャネルで同一のスクランブリングコードを用いる場合には、スクランブリングコードを乗算する処理から以降は共通化することが可能である。図２３は、本発明の実施例１６に係る送信機のブロック図であり、図２４は、図２３に示すトラフィックチャネル制御チャネル信号生成部を詳細に説明するためのブロック図である。【０１３８】
図２３に示すように、トラフィックチャネルデータと制御チャネルデータはそれぞれ別々にＦＥＣ  Ｅｎｃｏｄｅｒ１００、１０４で符号化、Ｉｎｔｅｒｌｅａｖｅｒ１０１，１０５でインターリーブ、ＭＯＤ１０２，１０６で変調処理され、トラフィックチャネルシンボル及び制御チャネルシンボルが、トラフィックチャネル制御チャネル信号生成部５００に入力される。【０１３９】
図２４に示すように、トラフィックチャネル制御チャネル信号生成部５００では、Ｓ／Ｐ変換を行った後周波数領域拡散処理２０１ａを行ったトラフィックチャネルシンボルと、Ｓ／Ｐ変換を行った後周波数領域拡散処理２０１ｂを行った制御チャネルシンボルの対応するサブキャリア成分をそれぞれ加算器５０１によって加算し、セル固有のスクランブリングコードを乗算し（スクランブル２０２ｂ）、逆フーリエ変換処理（ＩＦＦＴ処理２３１ｂ）を行い、Ｐ／Ｓ変換２３２ｂにより時間信号列にした後、Ａｄｄ  ＧＩ２３３ｂでＧＩ２４０を付与する。【０１４０】
（実施例１７）
図２５は、本発明の実施例１７に係る通信システムの送信機のブロック図であり、図２６は、本実施例のトラフィックチャネル制御チャネル信号生成部のブロック図である。【０１４１】
図２５に示すように、本実施例の送信機は、制御チャネルデータがそのままトラフィックチャネル制御チャネル信号生成部７００に入力される。トラフィックチャネルデータの処理は、上記実施例１６（図２３に示す）と同様であるため、繰り返しの説明は省略する。【０１４２】
本実施例では、図２６に示すように、トラフィックチャネル制御チャネル信号生成部７００では、トラフィックチャネルシンボルはＳ／Ｐ変換２３０ａを行った後、周波数領域拡散処理２０１ａが行われる。ここでは、Ｓ／Ｐ変換２３０ｂされた制御チャネルデータは、ブロック符号器７０１（Ｅｎｃ）でブロック符号化され、モジュレータ７０２（ＭＯＤ）にて各サブキャリア成分として変調される。【０１４３】
上記ブロック符号器７０１（Ｅｎｃ）はｋビットの入力情報ビットに対してｎビットの符号語を出力するブロック符号器である。ここで、ｎはサブキャリア数Ｎの約数であることが望ましい。ｎをＮの約数であるとし、各サブキャリアの変調方式をＢＰＳＫと仮定すると、制御チャネルデータはＳ／Ｐ変換においてｋ・Ｎ／ｎビット単位で直並列変換される。【０１４４】
そして並列に置かれたブロック符号器７０１（Ｅｎｃ）で符号化処理が行われ、Ｎビットが出力される。Ｎビットはそれぞれのサブキャリア成分としてＢＰＳＫ変調され、加算器５０１によってトラフィックチャネル信号と多重化される。【０１４５】
また、図２６において、トラフィックチャネル信号の処理は、上記実施例１６（図２４参照）と同じであるので、繰り返しの説明は省略する。【０１４６】
（実施例１８）
図２７は、本発明の実施例１８に係る通信システムの受信機の構成を示すブロック図である。本実施例で説明する受信機で受信される信号は、実施例１３または実施例１６に示されるような送信機から送信された信号が、無線通信路を経て受信された信号であるものとする。【０１４７】
まず、タイミング検出／チャネル推定処理９００によりタイミング検出とチャネル推定が行われ、ＦＦＴ処理９２１ａを行うための受信信号を切り出すタイミングと、チャネル推定値が求められる。このチャネル推定値から、ＦＦＴ処理９２１ａ後に各サブキャリアに乗算される重み係数Ｗｉ＊（ｉ＝０，１・・・Ｎ−１）が決められる。ここでは、重み係数Ｗｉ＊は通信路の各サブキャリアの周波数成分に対応する通信路利得の複素共役としているが、重み係数Ｗｉ＊の決定方法はこの方法に限定するものではない。また、チャネル推定値は、制御チャネル信号キャンセラ部９０５において、制御チャネル信号の複製を生成する際にも用いられる。【０１４８】
受信信号は、Ｒｅｍｏｖｅ  ＧＩ９０１にてＧＩ２４０が取り除かれ、一旦メモリに蓄えられて、先に制御チャネル信号の復調が行われる。制御チャネル信号処理部９０３において、制御チャネル信号は、周波数領域拡散を行うＯＦＣＤＭ変調が行われているので、拡散に用いられた拡散符号の複素共役（Ｃ＊Ｃ０、Ｃ＊Ｃ１、Ｃ＊Ｃ２、Ｃ＊Ｃ３）とタイミング検出／チャネル推定処理９００で求められた重み係数Ｗｉ＊を用いて周波数逆拡散処理９２３ａが行われる。ここでは、Ｓ／Ｐ変換９２０ａ、ＦＦＴ処理９２１ａ、デスクランブル９２２ａ、周波数領域逆拡散処理９２３ａ、Ｐ／Ｓ変換９２４ａが実行される。【０１４９】
そして、周波数領域逆拡散処理９２３ａの後、デモジュレータ９０８（Ｄｅｍｏｄ）、デインターリーバ９０９（Ｄｅｉｎｔｅｒｌｅａｖｅｒ）、デコーダ９１０（Ｄｅｃｏｄｅｒ）を経て制御チャネルデータが得られる。【０１５０】
また、周波数領域逆拡散後、Ｄｅｃｉｓｉｏｎ９０７にてシンボルの判定を行い、制御チャネル信号キャンセラ部９０５は、制御チャネル信号の複製を作成し、メモリ９０４に蓄えられていた受信信号から制御チャネル信号成分の除去を行う。トラフィックチャネル信号処理部９０６において、制御チャネル信号成分が除去された信号、すなわち、トラフィックチャネル信号成分は、周波数領域拡散を行うＯＦＣＤＭ変調が行われているので、拡散に用いられた拡散符号の複素共役（Ｃ＊Ｔ０、Ｃ＊Ｔ１、Ｃ＊Ｔ２、Ｃ＊Ｔ３）とタイミング検出／チャネル推定処理で求められた重み係数Ｗｉ＊を用いて周波数領域逆拡散処理９２３ｂが行われる。ここでは、Ｓ／Ｐ変換９２０ｂ、ＦＦＴ処理９２１ｂ、デスクランブル９２２ｂ、周波数領域逆拡散処理９２３ｂ、Ｐ／Ｓ変換９２４ｂが行われる。そして、デモジュレータ９１１（Ｄｅｍｏｄ）、デインターリーバ９１２（Ｄｅｉｎｔｅｒｌｅａｖｅｒ）、デコーダ９１３（Ｄｅｃｏｄｅｒ）で誤り訂正復号を行い、トラフィックチャネルデータを得る。【０１５１】
図２８は、制御チャネル信号キャンセラ部の詳細な構成を示す構成図である。図２７に示すＤｅｃｉｓｉｏｎ９０７によって、判定された制御チャネルシンボルに対して、図２０の制御チャネル信号生成部１０７と同様に、Ｓ／Ｐ変換９３０を行った後、制御チャネルシンボルが複数のサブキャリアで送信されるようにコピーし、拡散符号（ＣＣ０、ＣＣ１、ＣＣ２、ＣＣ３）を乗算することで周波数領域拡散を行い（周波数領域拡散処理）、さらに、セル固有のスクランブリングコードを乗算する（スクランブル）。ここで、チャネル推定部９００で求めたチャネル推定値を各サブキャリア成分に乗算した後（チャネル推定値乗算）、逆高速フーリエ変換処理（ＩＦＦＴ処理９３２）、Ｐ／Ｓ変換９３３を行って、制御チャネル信号の時間信号の複製を得る。この複製信号をメモリに蓄えられていた受信信号から加算器９３４によって引くことによって、制御チャネル信号がキャンセルされた受信信号が得られる。【０１５２】
（実施例１９）
図２９は、本発明の実施例１９に係る受信機の構成を示すブロック図である。
図２７および図２８では、時間領域の信号で受信信号から制御チャネル信号をキャンセルする実施例について説明したが、図２９および図３０に示されるように周波数領域でサブキャリア毎にキャンセリングを行うことも可能である。【０１５３】
本実施例では、Ｒｅｍｏｖｅ  ＧＩ９５０でガードインターバルが取り除かれた受信信号は、トラフィックチャネル信号処理部９５２によって周波数逆拡散処理が行われる。ここでは、受信信号をＳ／Ｐ変換９７０し、ＦＦＴ処理９７１を行い、各サブキャリア成分に変換し、デスクランブル９７２を行った時点の信号をメモリ９５６に蓄積する。制御チャネル信号はそのまま周波数領域逆拡散処理９７３、Ｐ／Ｓ変換９７４を行った後シンボルの判定処理９５５を行う（Ｄｅｃｉｓｉｏｎ９５５）。制御チャネル信号キャンセラ部９５７では、周波数領域で制御チャネル信号をキャンセルする。トラフィックチャネル信号処理部１（９５８）では、周波数領域逆拡散処理９５９後、Ｐ／Ｓ変換９６０を行って、Ｄｅｍｏｄ９６１で復調し、Ｄｅｉｎｔｅｒｌｅａｖｅｒ９６２でデインターリーブし、デコーダ（Ｄｅｃｏｄｅｒ）９６２を経てトラフィックチャネルデータを出力する。その他、図２７と同様の機能については、繰り返しの説明は省略する。【０１５４】
図３０は、図２９に示す制御チャネル信号キャンセラ部９５７の詳細ブロック図である。【０１５５】
ここでは、判定された制御チャネルシンボルに対して、Ｓ／Ｐ変換９８０を行い、拡散符号（ＣＣ０、ＣＣ１、ＣＣ２、ＣＣ３）を乗算して周波数領域拡散を行う。そして、タイミング検出／チャネル推定処理で求めたチャネル推定値を各サブキャリア成分に乗算するチャネル推定値乗算を行った後、メモリ９５６に蓄えられていたデスクランブル時の信号（キャンセラ）から差し引いて、制御チャネル信号がキャンセルされた受信信号を得る。【０１５６】
（実施例２０）
図３１は、本発明の実施例２０に係る受信機の構成を示すブロック図である。
まず、タイミング検出／チャネル推定処理１０１０によりタイミング検出とチャネル推定が行われ、ＦＦＴ処理を行うための受信信号を切り出すタイミングと、チャネル推定値が求められる。このチャネル推定値から、ＦＦＴ処理１０１６後に各サブキャリアに乗算される重み係数が決められる。【０１５７】
受信信号は、Ｒｅｍｏｖｅ  ＧＩ１０１１にてガードインターバルが取り除かれ、一旦メモリ１０１２に蓄えられて、先に制御チャネルの復調が行われる。制御チャネルデータ信号処理部１０１４において、制御チャネル信号は、周波数領域拡散を行うＯＦＣＤＭ変調が行われているので、拡散に用いられた拡散符号の複素共役（Ｃ＊Ｃ０、Ｃ＊Ｃ１、Ｃ＊Ｃ２、Ｃ＊Ｃ３）とタイミング検出／チャネル推定処理１０１０で求められた重み係数を用いて周波数領域逆拡散処理１０１８が行われる。ここでは、Ｓ／Ｐ変換１０１５、ＦＦＴ処理１０１６、デスクランブル１０１７、周波数領域逆拡散処理１０１８およびＰ／Ｓ変換１０１９が実行される。【０１５８】
そして、周波数逆拡散の後、デモジュレータ（Ｄｅｍｏｄ）１０２０、デインターリーバ（Ｄｅｉｎｔｅｒｌｅａｖｅｒ）１０２１、デコーダ（Ｄｅｃｏｄｅｒ）１０２２を経て制御チャネルデータが得られる。【０１５９】
本実施例は、デコーダ（Ｄｅｃｏｄｅｒ）１０２２で復号された制御チャネルデータは、再度ＦＥＣ  Ｅｎｃｏｄｅｒ１０２３で符号化され、Ｉｎｔｅｒｌｅａｖｅｒ１０２５でインターリーブされ、ＭＯＤ１０２６で変調されて、制御チャネル信号キャンセラ部１０１３に送られる。【０１６０】
制御チャネル信号キャンセラ部１０１３は、既に説明した図２８のブロックと同じである。ここでは、図２８を流用して説明しておく。【０１６１】
まず、Ｓ／Ｐ変換９３０を行った後、制御チャネルシンボルが複数のサブキャリアで送信されるようにコピー器９３１ａ、ｂでコピーし、拡散符号（ＣＣ０、ＣＣ１、ＣＣ２、ＣＣ３）を乗算することで周波数領域拡散を行い（周波数領域拡散処理）、さらに、セル固有のスクランブリングコードを乗算する（スクランブル）。ここで、チャネル推定部１０１０で求めたチャネル推定値を各サブキャリア成分に乗算した後（チャネル推定値乗算）、逆フーリエ変換処理（ＩＦＦＴ処理）９３２、Ｐ／Ｓ変換９３３を行って、制御チャネル信号の時間信号の複製を得る。引き算器９３４により、この複製信号をメモリに蓄えられていた受信信号から引くことによって、制御チャネル信号がキャンセルされた受信信号を得る。【０１６２】
そして、上記生成された受信信号をトラフィックチャネル信号処理部１０２７によって、ＯＦＣＤＭ復調処理が行われる。ここでは、Ｓ／Ｐ変換１０２８、ＦＦＴ処理１０２９、デスクランブル１０３０、周波数領域逆拡散処理１０３１、Ｐ／Ｓ変換１０３２が行われる。さらに、デモジュレータ（Ｄｅｍｏｄ）１０３３、デインターリーバ（ｄｅｉｎｔｅｒｌｅａｖｅｒ）１０３４、デコーダ（Ｄｅｃｏｄｅｒ）１０３５で誤り訂正復号を行い、トラフィックチャネルデータを得ることができる。【０１６３】
（実施例２１）
図３２は、本発明の実施例２１に係る受信機の構成を示すブロック図である。Ｒｅｍｏｖｅ  ＧＩ１１１０でガードインターバルが取り除かれた受信信号は、制御チャネル信号処理部１１１２によって、周波数逆拡散処理が行われるが、ここでは、受信信号をＳ／Ｐ変換１１１３し、ＦＦＴ処理１１１４を行い各サブキャリア成分に変換し、デスクランブル１１１５を行った時点の信号をメモリ１１２４に蓄積する。制御チャネル信号はそのまま周波数領域逆拡散処理１１１６、Ｐ／Ｓ変換１１１７を行う。【０１６４】
そして、制御チャネルデータ信号処理部１１１２の後、デモジュレータ（Ｄｅｍｏｄ）１１１８、デインターリーバ（Ｄｅｉｎｔｅｒｌｅａｖｅｒ）１１１９、デコーダ（Ｄｅｃｏｄｅｒ）１１２０を経て制御チャネルデータが得られる【０１６５】
本実施例は、デコーダ（Ｄｅｃｏｄｅｒ）１１２０で一旦復号された制御チャネルデータは、再度ＦＥＣ  Ｅｎｃｏｄｅｒ１１２１で符号化され、Ｉｎｔｅｒｌｅａｖｅｒ１１２２でインターリーブされ、ＭＯＤ１１２３で変調されて、制御チャネル信号キャンセラ部１１２５に送られる。【０１６６】
制御チャネル信号キャンセラ部１１２５は、既に説明した図３０のブロックと同じである。ここでは、図３０を用いて説明しておく。【０１６７】
ＭＯＤ１１２３で変調された制御チャネルシンボルに対して、Ｓ／Ｐ変換９８０を行い、拡散符号（ＣＣ０、ＣＣ１、ＣＣ２、ＣＣ３）を乗算して周波数領域拡散処理を行う。そして、タイミング検出／チャネル推定処理にて求めたチャネル推定値を各サブキャリア成分に乗算するチャネル推定値乗算を行った後、メモリに蓄えられていたデスクランブル時の信号（キャンセラ）から差し引いて、制御チャネル信号がキャンセルされた受信信号を得る。【０１６８】
そして、トラフィックチャネル処理部１１２６では、周波数領域逆拡散処理１１２７後、Ｐ／Ｓ変換１１２８を行い、Ｄｅｍｏｄ１１２９で復調し、Ｄｅｉｎｔｅｒｌｅａｖｅｒ１１３０でデインターリーブを行い、Ｄｅｃｏｄｅｒ１１３１でデコードしてトラフィックチャネルデータを出力する。【０１６９】
（実施例２２）
図３３は、本発明の実施例２２に係る受信機の構成を示すブロック図で、上記実施例１７に係る送信機に対応する受信機の構成を示すブロック図である。また、図３４は、本実施例の制御チャネル信号キャンセラ部のブロック図である。
図３３に示すように、本実施例に係る受信機では、Ｒｅｍｏｖｅ  ＧＩ１２１０でガードインターバルが取り除かれた受信信号は、制御チャネルデータ信号処理部１２１２において、Ｓ／Ｐ変換１２１３を行った後、ＦＦＴ処理１２１４によって各サブキャリア成分に変換され、デスクランブル１２１５を行った時点の信号をメモリ１２１７に蓄積する。そして、各サブキャリア成分をデモジュレータ（Ｄｅｍｏｄ）で復調後、デコーダ（Ｄｅｃｏｄｅｒ）でブロック符号の復号処理が行われ、Ｐ／Ｓ変換１２１６を行うことにより制御チャネルデータが得られる。【０１７０】
上述した図３２に示す実施例２１の構成では、フレーム単位で誤り訂正符号の復号処理を行うため、各ＯＦＤＭシンボルを復調後Ｐ／Ｓ変換によって時系列データに変換しフレーム単位で復号する必要があったが、本実施例では符号長がサブキャリア数以下のブロック符号を用いているのでＯＦＤＭシンボルの単位で復号処理が可能になる。復号された制御チャネルデータは制御チャネル信号キャンセラ部１２１８に送られ、メモリ１２１７に蓄えられた受信信号から制御チャネル信号成分がキャンセルされ、さらにトラフィックチャネル処理１２１９によって、周波数領域逆拡散処理１２２０後、Ｐ／Ｓ変換１２２１を行い、Ｄｅｍｏｄ１２２２で復調し、Ｄｅｉｎｔｅｒｌｅａｖｅｒ１２２３でデインターリーブを行い、Ｄｅｃｏｄｅｒ１２２４でデコードしてトラフィックチャネルデータが得られる。【０１７１】
図３４に示すように、制御チャネル信号キャンセラ部１２１８では、一旦復号された制御チャネル復号データが再度エンコーダ（Ｅｎｃ）１２２５で符号化され、モジュレータ（Ｍｏｄ）１２２６でサブキャリア毎に変調されたのち、チャネル推定値乗算を行って制御チャネル信号の複製が得られる。これが、メモリ１２１７に蓄えられていたデスクランブル後の信号から差し引かれて、キャンセラ出力信号が得られる。【０１７２】
（実施例２３）
図３５は、実施例２３に係る送信機の制御チャネル信号生成部およびトラフィックチャネル信号生成部のブロック図である。
本実施例は、実施例１３の制御チャネル信号生成部１０３およびトラフィックチャネル信号生成部１０７に、本実施例の特徴を示す直交コード生成部１０８を追加した構成となっている。本実施例は、拡散符号（コード）切り替え機能が備わったこと以外は実施例１３と同じ構成となっている。当然、実施例１３の場合にもコード生成部は存在するが、単に制御チャネル信号とトラフィックチャネル信号が直交しないコードを使用しているだけなので説明は省略している。【０１７３】
図３５の制御チャネル信号生成部１０３およびトラフィックチャネル信号生成部１０７は、実施例１３と構成が同じであるので説明を省略する。直交コード生成部１０８では、複数の直交コードを生成する直交コード生成器１（１０９）、直交コード生成器２（１１０）、および直交コード生成器１（１０９）と直交コード生成器２（１１０）を切り替えるコード切替器１１１から構成される。ただし、直交コード生成器１（１０９）から生成されるコードと直交コード生成器２（１１０）から生成されるコードは互いに非直交である。【０１７４】
トラフィックチャネル信号に使用されるコードは、直交コード生成器１（１０９）で生成されるコードのみを使用する。また、制御チャネル信号に使用されるコードは、通信路の品質が良好である場合に、コード切替器１１１を直交コード生成器２（１１０）側に切り替えることにより、直交コード生成器２（１１０）で生成されるコードを使用し、通信路の品質が劣悪である場合に、コード切替器１１１を直交コード生成器１（１０９）側に切り替えることにより、直交コード生成器１（１０９）で生成されるコードを使用する。もし、制御チャネルもしくはトラフィックチャネルが複数チャネル存在する場合には、例えば最も劣悪な通信路を経由するチャネルにより直交コード、非直交コードの選択を行うか、もしくは複数チャネルそれぞれのレベルの平均値などから判定すればよい。【０１７５】
以上は通信路の品質により直交、非直交の判定を行ったが、制御チャネル信号に使用されるコードとして、直交コード生成器１（１０９）で生成されるコードが十分に足りている状態であれば、直交コード生成器１（１０９）で生成されるコードを使用し、足りなくなればコード切替器１１１を直交コード生成器２（１１０）側に切り替えることにより、直交コード生成器２（１１０）で生成されるコードを使用するようにすることも可能である。ただし、この場合に直交しないコードを用いると、直交するコードを用いたときに比較して受信品質が劣化するために、直交するコードを用いたときよりも若干送信レベルを上げて送信する必要がある。【０１７６】
さらに本実施例では、制御チャネル信号のみ直交コード生成器１（１０９）と２（１１０）を切り替えることが可能な構成になっているが、トラフィックチャネル信号のみ直交コード生成器１と２を切り替えることが可能な構成や、制御チャネル信号とトラフィックチャネル信号ともに、直交コード生成器１（１０９）と直交コード生成器２（１１０）を切り替えることが可能な構成にしても構わない。例えば、制御チャネルのコードを固定したい場合に有効である。【０１７７】
以上より、通信路の品質や使用中のコード数に応じた最適なコード割り当てが可能になる。【０１７８】
（実施例２４）
図３６は、本発明の実施例２４に係る受信機の構成を示すブロック図である。【０１７９】
本実施例では、受信される信号は実施例２４（図３５参照）に記載したような送信機から送信された信号が、無線通信路を経て受信されたものと仮定する。また、本実施例では、制御チャネル信号の拡散コードとして、通信路の品質が良好である場合にトラフィックチャネル信号で使用される拡散コードに対して直交しないコードを使用し、通信路の品質が劣悪な場合に、直交するコードを使用したときの信号を受信する場合の受信機の構成を示している。このため、特に受信機に上述した制御チャネル信号キャンセラ部を持たない構成となっている。【０１８０】
まず、タイミング検出／チャネル推定処理１３００によりタイミング検出とチャネル推定が行われ、ＦＦＴ処理１３３０を行うための受信信号を切り出すタイミングと、チャネル推定値が求められる。受信信号は、Ｒｅｍｏｖｅ  ＧＩ１３１０にてガードインターバルが取り除かれ、Ｓ／Ｐ変換１３２０、ＦＦＴ処理１３３０が施される。その後、制御チャネルとトラフィックチャネルは、別々に制御チャネルデータ信号処理部（２）（１３４０）及びトラフィックデータ信号処理部（２）（１３６０）で検出処理される。
制御チャネル信号は周波数領域拡散を行うＯＦＣＤＭ変調が行われているので、拡散に用いられた拡散符号の複素共役（Ｃ＊Ｃ０、Ｃ＊Ｃ１、Ｃ＊Ｃ２、Ｃ＊Ｃ３）とタイミング検出／チャネル推定処理で求められた重み係数を用いて周波数逆拡散処理が行われる。ここでは、デスクランブル、周波数領域逆拡散、Ｐ／Ｓ変換が実行される。ここで、拡散に用いられた拡散符号の複素共役（Ｃ＊Ｃ０、Ｃ＊Ｃ１、Ｃ＊Ｃ２、Ｃ＊Ｃ３）は、コード切替器により出力される。コード切替器は、制御チャネルがトラフィックチャネルと直交するコードで拡散されている場合には、直交コード生成器１に、直交しないコードで拡散されている場合には、直交コード生成器２に切り替える。周波数逆拡散処理の後は、デモジュレータ（Ｄｅｍｏｄ）１３６１、デインターリーバ（Ｄｅｉｎｔｅｒｌｅａｖｅｒ）１３６２、デコーダ（Ｄｅｃｏｄｅｒ）１３６３を経て制御チャネルデータが得られる。
また、トラフィックチャネル信号は、同様に周波数領域拡散を行うＯＦＣＤＭ変調が行われているので、拡散に用いられた拡散符号の複素共役（Ｃ＊Ｔ０、Ｃ＊Ｔ１、Ｃ＊Ｔ２、Ｃ＊Ｔ３）とタイミング検出／チャネル推定処理で求められた重み係数を用いて周波数領域逆拡散処理が行われる。ここでは、デスクランブル、周波数領域逆拡散、Ｐ／Ｓ変換が行われる。ここで、拡散に用いられた拡散符号の複素共役（Ｃ＊Ｔ０、Ｃ＊Ｔ１、Ｃ＊Ｔ２、Ｃ＊Ｔ３）は、直交コード生成器１により出力される。周波数領域逆拡散処理の後は、デモジュレータ（Ｄｅｍｏｄ）１３６４、デインターリーバ（Ｄｅｉｎｔｅｒｌｅａｖｅｒ）１３６５、デコーダ（Ｄｅｃｏｄｅｒ）１３６６を経てトラフィックチャネルデータが得られる。
以上の受信機の構成において、もしデスクランブルコードが制御チャネルとトラフィックチャネルで同じであれば、デスクランブルについても共通化することが可能である。【０１８１】
（実施例２５）
図３７は、本発明の実施例２５に係る受信機の構成を示すブロック図である。
本実施例では、受信される信号は実施例２４（図３５参照）に示されるような送信機から送信された信号が、無線通信路を経て受信されたものと仮定する。また、本実施例では、実施例２４とは異なり受信機にキャンセラを持つ構成となっている。これにより、制御チャネルの拡散コードがトラフィックチャネルの拡散コードに対して直交しないコードであっても、キャンセラで制御チャネル信号を受信信号からキャンセルしてからトラフィックチャネル信号を復調できるため、品質の良好な受信が可能となる。
まず、タイミング検出／チャネル推定処理１４００によりタイミング検出とチャネル推定が行われ、ＦＦＴ処理を行うための受信信号を切り出すタイミングと、チャネル推定値が求められる。このチャネル推定値から、ＦＦＴ処理後に各サブキャリアに乗算される重み係数が決められる。【０１８２】
受信信号は、Ｒｅｍｏｖｅ  ＧＩ１４１０にてガードインターバルが取り除かれ、一旦メモリ１４２０に蓄えられて、制御チャネルデータ信号処理部１４３０によって、先に制御チャネル信号の検出が行われる。制御チャネル信号は、周波数領域拡散を行うＯＦＣＤＭ変調が行われているので、拡散に用いられた拡散符号の複素共役（Ｃ＊Ｃ０、Ｃ＊Ｃ１、Ｃ＊Ｃ２、Ｃ＊Ｃ３）とタイミング検出／チャネル推定処理で求められた重み係数を用いて逆拡散処理が行われる。ここでは、Ｓ／Ｐ変換、ＦＦＴ処理、デスクランブル、周波数領域逆拡散、Ｐ／Ｓ変換が実行される。ここで、直交コード生成部１４４０については実施例２４と同様であり、拡散に用いられた拡散符号の複素共役（Ｃ＊Ｃ０、Ｃ＊Ｃ１、Ｃ＊Ｃ２、Ｃ＊Ｃ３）は、コード切替器により出力される。制御チャネル信号処理部１４３０による逆拡散処理の後は、デモジュレータ（Ｄｅｍｏｄ）１４４１、デインターリーバ（Ｄｅｉｎｔｅｒｌｅａｖｅｒ）１４４２、デコーダ（Ｄｅｃｏｄｅｒ）１４４３を経て制御チャネルデータが得られる。【０１８３】
次に、トラフィックチャネル信号処理部１４４８によるトラフィックチャネルの検出について述べる。もし、受信した制御チャネルの拡散コードが、トラフィックチャネルの拡散コードに対して直交したコードであるならば、制御チャネルキャンセラ部１４４７は、メモリ１４２０からの入力をそのままトラフィックチャネル信号処理部１４４８に出力することにより、制御チャネルのキャンセルは行わずにトラフィックチャネルの検出（復調）を行う。すなわち、トラフィックチャネルのＯＦＣＤＭ復調処理が行われる。ここでは、Ｓ／Ｐ変換、ＦＦＴ処理、デスクランブル、周波数領域逆拡散、Ｐ／Ｓ変換が行われる。そして、デモジュレータ（Ｄｅｍｏｄ）、デインターリーバ（ｄｅｉｎｔｅｒｌｅａｖｅｒ）、デコーダ（Ｄｅｃｏｄｅｒ）で誤り訂正復号を行い、トラフィックチャネルデータを得る。【０１８４】
受信した制御チャネルの拡散コードが、トラフィックチャネルの拡散コードに対して直交していないコードであるならば、受信した信号から、制御チャネル信号をキャンセルしてトラフィックチャネルの復調を行う。【０１８５】
すなわち、復号された制御チャネルデータは、再度ＦＥＣ  Ｅｎｃｏｄｅｒ１４４４で符号化され、Ｉｎｔｅｒｌｅａｖｅｒ１４４５でインターリーブされ、ＭＯＤ１４４６で変調されて、制御チャネル信号キャンセラ部１４４７に送られる。制御チャネル信号キャンセラ部１４４７は、既に説明した図２８のブロックと同じであり、Ｓ／Ｐ変換を行った後、制御チャネルシンボルが複数のサブキャリアで送信されるようにコピーし、拡散符号（ＣＣ０、ＣＣ１、ＣＣ２、ＣＣ３）を乗算することで周波数領域拡散を行い（周波数領域拡散処理１）、さらに、セル固有のスクランブリングコードを乗算する（スクランブル）。ここで、チャネル推定部で求めたチャネル推定値を各サブキャリア成分に乗算した後（チャネル推定値乗算）、逆フーリエ変換処理（ＩＦＦＴ処理）、Ｐ／Ｓ変換を行って、制御チャネル信号の時間信号の複製を得る。この複製信号をメモリに蓄えられていた受信信号から引くことによって、制御チャネル信号がキャンセルされた受信信号（トラフィックチャネル信号）を得る。【０１８６】
そして、前述したようにトラフィックチャネルの復調処理を行うことにより、上記受信信号からトラフィックチャネルデータを得る。【０１８７】
本実施例では、制御チャネル信号のキャンセル方法として、制御チャネルデータから制御チャネル信号を再生しているが、Ｄｅｍｏｄ１４４１前の制御チャネルシンボルから制御チャネル信号を再生しても構わない。また、本実施例では、Ｓ／Ｐ前の時間領域でキャンセリングを行っているが、ＦＦＴ処理後の周波数領域でサブキャリア毎にキャンセリングを行うことも可能である。【０１８８】
次に、上述した実施例２０および２１に係る受信機（図３１，図３２のブロック図参照）の動作について、図３８に示すフローチャートを用いて以下に説明する。
図３８は、得られた制御情報からトラフィックチャネルが自局宛の情報を含むことが判明した場合に、トラフィックチャネルの信号を抽出する処理を示すフローチャートである。【０１８９】
図３１の場合と図３２の場合でメモリ（１０１２又は１１２４）に蓄積されてキャンセリング処理される信号が異なるが制御の流れは同じである。すなわち、復号された制御情報から受信フレームのトラフィックチャネルに自局宛の情報が含まれるかどうかを判別し、自局宛の情報が含まれる場合のみ以降の再符号化・インターリーブ・変調、制御チャネルキャンセル、トラフィックチャネル受信処理を行う。【０１９０】
ここでは、まず、信号が受信され（ステップＳ０）、その受信信号からＲｅｍｏｖｅ  ＧＩによって、ガードインターバルが除去される。そして、Ｓ／Ｐ変換，ＦＦＴ処理，デスクランブルの各処理が行われ（ステップＳ２）、周波数領域逆拡散処理が行われる（ステップＳ３）。さらに、制御チャネル復調，デインターリーブ，復号処理が行われる(ステップＳ４)。ここで、図３１に示す構成の受信装置の場合には、ガードインターバルが除去された後、受信信号がメモリ１０１２に保存される。また、図３２に示す構成の受信装置では、デスクランブル１１１５が行われた後、受信信号がメモリ１１２４に保存される。【０１９１】
続いて、復号された制御チャネル情報から、受信したフレーム内に自分宛のトラフィックチャネルデータが含まれるかどうかを判別する（ステップＳ５）。自分宛のトラフィックチャネルデータ含まれていれば（ステップＳ５；ＹＥＳ）、制御チャネルデータを再符号化し、インターリーブ、変調を行う（ステップＳ６）。そして、制御チャネルをキャンセルし、トラフィックチャネルの処理を行う(ステップＳ８)。また、自分宛のトラフィックチャネルが受信したフレーム内に含まれていなければ（ステップＳ５；ＮＯ）、処理を終了する。【０１９２】
次に、上述した実施例２０および２１に係る受信機（図３１，図３２のブロック図参照）の動作において、ＳＮ比の値によって、制御チャネルキャンセルを行うか否かの判定動作をする場合の動作について、図３９に示すフローチャートを用いて以下に説明する。【０１９３】
図３９もまた得られた制御チャネル情報からトラフィックチャネルが自局宛の情報を含むことが判明した場合のみ、トラフィックチャネルの信号を抽出する流れ図である。図３１の場合と図３２の場合でメモリに蓄積されてキャンセリング処理される信号が異なるが、制御の流れは同じで、復号された制御情報から受信フレームのトラフィックチャネルに自局宛の情報が含まれるかどうかを判別し、自局宛の情報が含まれる場合のみ次の判定に進む。【０１９４】
ここでは、まず信号が受信され（ステップＳ１０）、その受信信号からガードインターバルが除去される（ステップＳ１１）。そして、Ｓ／Ｐ変換，ＦＦＴ，デスクランブルの各処理が行われ（ステップＳ１２）、周波数領域逆拡散が行われる（ステップＳ１３）。さらに、制御チャネル復調，デインターリーブ，復号処理が行われる（ステップＳ１４）。ここで、上記の図３８に示したフローと同様に、図３１の構成の場合には、ガードインターバルが除去された後、受信信号がメモリに保存される。また、図３２の構成では、デスクランブルが行われた後、受信信号がメモリに保存される。【０１９５】
そして、受信フレーム内に自分宛のトラフィックチャネルデータが含まれるかどうかを判別し、トラフィックチャネルデータが含まれなければ処理を終了する。【０１９６】
トラフィックチャネルデータが含まれていれば、ＳＮＲが十分に高いかどうかを判断する（ステップＳ１６）。すなわち、チャネル推定部で測定した通信路状態情報、制御チャネルに含まれる変調・符号化パラメータなどから制御チャネル信号をキャンセルしなくてもトラフィックチャネルデータが正しく出力可能かどうかを判断し、制御チャネルキャンセルを行うかどうかを決定する。通信路品質が十分高い場合には（ステップＳ１６；ＹＥＳ）、制御チャネル再符号化・インターリーブ・変調、制御チャネルキャンセルの処理を省略して、トラフィックチャネルの処理を行う（ステップＳ１９）。この場合、制御チャネルキャンセラはメモリからの入力をそのままトラフィックチャネル処理部に出力する。通信路品質が十分高くない場合には（ステップＳ１６；ＮＯ）、制御チャネル再符号化、インターリーブ、変調処理を行って（ステップＳ１７）、さらに制御チャネルキャンセルの処理を行って（ステップＳ１８）、トラフィックチャネル処理を行う（ステップＳ１９）。【０１９７】
次に、通信路の品質により、制御チャネル用拡散符号がトラフィックチャネル用拡散符号に対して直交する符号と直交しない符号を使い分ける場合について、実施例２３に示されるような送信機から送信される信号を受信する図３７に示す受信装置における図４０に示す動作フローを用いて説明する。【０１９８】
また、図３８，図３９と同様に図４０は、得られた制御情報からトラフィックチャネルが自局宛の情報を含むことが判明した場合のみ、トラフィックチャネルの信号を抽出する流れ図である。【０１９９】
まず、信号が受信され（ステップＳ２０）、その受信信号からガードインターバルが除去される（ステップＳ２１）。ここで、ガードインターバルが除去された信号がメモリに保存される。そしてＳ／Ｐ変換，ＦＦＴ，デスクランブルの各処理が行われ、周波数領域逆拡散が行われる（ステップＳ２３）。ここで、もし、制御チャネルの拡散コードがトラフィックチャネルの拡散コードに対して、直交するなら直交コード生成器１より出力されるコードで、直交しないなら直交コード生成器２より出力されるコードで逆拡散を行う。その後、制御チャネル復調，デインターリーブ，復号処理が行われる（ステップＳ２４）。【０２００】
そして、受信フレーム内に自分宛のトラフィックチャネルデータが含まれるかどうかを判別し（ステップＳ２５）、トラフィックチャネルデータが含まれなければ、処理を終了する（ステップＳ２５；ＮＯ）。トラフィックチャネルデータが含まれていれば（ステップＳ２５；ＹＥＳ）、次のステップへすすみ、制御チャネル信号の拡散コードが、トラフィックチャネルの拡散コードに対して直交したコードであるか、もしくは直交していないコードであるかを判定する（ステップＳ２６）。
もし、直交したコードであるならば（ステップＳ２６）、直交コードを使用した場合において（ステップＳ２６；ＹＥＳ）、ＳＮＲが十分に高いかどうかを判断する（ステップＳ２７）。すなわち、直交コードを使用した場合において（ステップＳ２６；ＹＥＳ）、チャネル推定部で測定した通信路状態情報、制御チャネルに含まれる変調・符号化パラメータなどから制御チャネル信号をキャンセルしなくてもトラフィックチャネルデータが正しく出力可能であるか否かを判断し、制御チャネルキャンセルを行なうか否かを決定する。具体的には、測定されたＳＮＲ値が、直交コードを使用した場合に制御チャネルをキャンセルするか否かを判定するＳＮＲの閾値Ｔｏｒｔｈｏｇｏｎａｌよりも大きいかどうかを判定し、大きい場合には（ステップＳ２７；ＹＥＳ）、制御チャネル再符号化・インターリーブ・変調、制御チャネルキャンセルの処理を省略して、トラフィックチャネルの処理を行う。この場合、制御チャネルキャンセラはメモリからの入力をそのままトラフィックチャネル処理部に出力する。大きくない場合には（ステップＳ２７；ＮＯ）、制御チャネル再符号化、インターリーブ、変調処理を行って、さらに制御チャネルキャンセルの処理を行って、トラフィックチャネル処理を行う。
直交しないコードであるならば（ステップＳ２６；ＮＯ）、直交しないコードを使用した場合において、ＳＮＲが十分に高いかどうかを判断する（ステップＳ２８）。すなわち、直交しないコードを使用した場合において、チャネル推定部で測定した通信路状態情報、制御チャネルに含まれる変調・符号化パラメータなどから制御チャネル信号をキャンセルしなくてもトラフィックチャネルデータが正しく出力可能かどうかを判断し、制御チャネルキャンセルを行うかどうかを決定する。具体的には、測定されたＳＮＲ値が、直交しないコードを使用した場合に制御チャネルをキャンセルするか否かを判定するＳＮＲの閾値Ｔｎｏｎ−ｏｒｔｈｏｇｏｎａｌよりも大きいかどうかを判定し、大きい場合には（ステップＳ２８；ＹＥＳ）、制御チャネル再符号化・インターリーブ・変調、制御チャネルキャンセルの処理を省略して、トラフィックチャネルの処理を行う。この場合、制御チャネルキャンセラはメモリからの入力をそのままトラフィックチャネル処理部に出力する。大きくない場合には（ステップＳ２８；ＮＯ）、制御チャネル再符号化、インターリーブ、変調処理を行って、さらに制御チャネルキャンセルの処理を行って、トラフィックチャネル処理を行う。【０２０１】
通常、直交しないコードを使用した場合は、受信品質は直交するコードを使用する場合に比較して劣悪であるため、前述した閾値Ｔｎｏｎ−ｏｒｔｈｏｇｏｎａｌは、閾値Ｔｏｒｔｈｏｇｏｎａｌよりも大きく設定しておく必要がある。【０２０２】
本実施例の方法を用いることにより、直交、非直交コードに応じて通信路の品質に最適な受信を行うことが可能になる。【０２０３】
以上の制御チャネルとトラフィックチャネルを多重化して送信するシステムについては、制御チャネル用拡散コードＣＣとトラフィックチャネル用拡散コードＣＴは、違うものであるとしている。しかしながら、ＣＣとＣＴは同じものでもよく、この場合にはスクランブリングコードを異なるものにすればよい。例えば、１つ目の方法として、セル固有の制御チャネル用スクランブルコードとセル固有のトラフィックチャネル用スクランブルコードを用いる方法がある。２つ目の方法として、セル共通の制御チャネル用スクランブルコードとセル固有のトラフィックチャネル用スクランブルコードを用いる方法がある。セル共通の制御チャネル用スクランブルコードを用いた場合には、セルの区別は制御チャネル用拡散コードで行えばよい。【０２０４】
以上は、制御チャネルとトラフィックチャネルを多重化して送信するシステムについて述べたが、上記実施例１３〜２５において、トラフィックチャネルにおいて高速データを通信するトラフィックチャネル１に、制御チャネルにおいて低速データを通信するトラフィックチャネル２に置き換えることにより、速度の異なる２つのトラフィックチャネルを多重化する場合の実施例とすることができる。【０２０５】
受信機の構成については、上記実施例１３、１６、または２３で示されるような送信機から送信された信号が、無線通信路を経て受信されたものと仮定したが、上記実施例１４又は１５のような、制御チャネルに符号多重を用いた信号についても同様に構成することが可能であり、本発明の請求の範囲が単一のコードを用いた制御チャネルに対応する受信機に限定するものではない。【０２０６】
また、上記実施例で説明に用いた図に示すように、制御チャネル信号、トラフィックチャネル信号ともに、周波数領域拡散を用いるＯＦＣＤＭを用いて説明を行ったが、時間領域と周波数領域の２次元拡散を行うＯＦＣＤＭや時間領域の拡散を行うＯＦＣＤＭを用いても同様の効果が得られることは明白であり、周波数領域拡散を用いるＯＦＣＤＭに限定するものではない。
【産業上の利用可能性】
【０２０７】
以上のように、本発明にかかるデータ通信システム、送信装置、および受信装置は高速データ通信と低速データあるいは制御データを同時に送信する無線通信システムに有用であり、周波数の有効利用と多重化の柔軟性の向上に優れている。
【図１】
2006022136.tif 000002
【図２】
2006022136.tif 000003
【図３】
2006022136.tif 000004
【図４】
2006022136.tif 000005
【図５】
2006022136.tif 000006
【図６】
2006022136.tif 000007
【図７】
2006022136.tif 000008
【図８】
2006022136.tif 000009
【図９】
2006022136.tif 000010
【図１０】
2006022136.tif 000011
【図１１】
2006022136.tif 000012
【図１２】
2006022136.tif 000013
【図１３】
2006022136.tif 000014
【図１４】
2006022136.tif 000015
【図１５】
2006022136.tif 000016
【図１６】
2006022136.tif 000017
【図１７】
2006022136.tif 000018
【図１８】
2006022136.tif 000019
【図１９】
2006022136.tif 000020
【図２０】
2006022136.tif 000021
【図２１】
2006022136.tif 000022
【図２２】
2006022136.tif 000023
【図２３】
2006022136.tif 000024
【図２４】
2006022136.tif 000025
【図２５】
2006022136.tif 000026
【図２６】
2006022136.tif 000027
【図２７】
2006022136.tif 000028
【図２８】
2006022136.tif 000029
【図２９】
2006022136.tif 000030
【図３０】
2006022136.tif 000031
【図３１】
2006022136.tif 000032
【図３２】
2006022136.tif 000033
【図３３】
2006022136.tif 000034
【図３４】
2006022136.tif 000035
【図３５】
2006022136.tif 000036
【図３６】
2006022136.tif 000037
【図３７】
2006022136.tif 000038
【図３８】
2006022136.tif 000039
【図３９】
2006022136.tif 000040
【図４０】
2006022136.tif 000041
【図４１】
2006022136.tif 000042
【図４２】
2006022136.tif 000043
【図４３】
2006022136.tif 000044
【図４４】
2006022136.tif 000045
【図４５】
2006022136.tif 000046
【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
直交周波数分割多重（ＯＦＤＭ）技術を用いる通信システムであって、トラフィックデータを伝送するトラフィックチャネルと、制御データを伝送する制御チャネルと、を含み、ＯＦＤＭ変調を用いて生成されたトラフィックチャネル信号と、前記トラフィックチャネル信号に対して、時間、周波数、コードのいずれでも直交しない信号を用いて生成された制御チャネル信号と、を多重化することによって送信信号を生成することを特徴とする通信システム。
【請求項２】
請求項１に記載の通信システムであって、前記制御チャネル信号は、前記ＯＦＤＭ変調されたトラフィックチャネル信号の複数のサブキャリアまたは複数のＯＦＤＭシンボル、あるいはその両方の領域にわたって拡散された信号であることを特徴とする通信システム。
【請求項３】
請求項１に記載の通信システムであって、前記制御チャネル信号は、低レートのブロック符号により符号化された信号であり、その符号語は単一のＯＦＤＭシンボルの複数のサブキャリアを用いて送信されるように構成された信号であることを特徴とする通信システム。
【請求項４】
請求項１に記載の通信システムであって、受信局側では、前記トラフィックチャネルと前記制御チャネルが多重化された信号を受信し、前記制御チャネルを復調して信号点の判定を行うことにより得られた受信シンボルから受信信号に多重化された制御チャネル信号の複製を生成し、受信信号から制御チャネル信号成分を除去した後に、前記トラフィックチャネルの復調を行うことを特徴とする通信システム。
【請求項５】
請求項１に記載の通信システムであって、前記制御チャネルのデータは誤り訂正符号化されており、受信局側では、前記トラフィックチャネルと前記制御チャネルが多重化された信号を受信し、前記制御チャネルを復調・復号することにより得られた制御チャネルデータから受信信号に多重化された制御チャネル信号の複製を生成し、受信信号から制御チャネル信号成分を除去した後に、前記トラフィックチャネルの復調処理を行うことを特徴とする通信システム。
【請求項６】
請求項１に記載の通信システムであって、前記制御チャネルのデータは誤り訂正符号化されており、かつ前記制御チャネルのデータにはその時点あるいはそれ以降に送信される前記トラフィックチャネルの宛先情報が含まれており、受信局側では、前記トラフィックチャネルと前記制御チャネルが多重化された信号を受信し、前記制御チャネルを復調・復号して制御チャネルデータを抽出し、過去あるいはその時点で得られた制御情報から前記トラフィックチャネルに自局宛の情報が含まれるか否かを判断し、前記トラフィックチャネルが自局宛の情報を含む場合には、前記抽出された制御チャネルデータから受信信号に多重化された制御チャネル信号の複製を生成し、受信信号から制御チャネル信号成分を除去した後に、前記トラフィックチャネルの復調処理を行うことを特徴とする通信システム。
【請求項７】
直交周波数分割多重（ＯＦＤＭ）技術を用いる通信システムであって、高速なトラフィックデータを伝送するトラフィックチャネル１と、低速なトラフィックデータを伝送するトラフィックチャネル２と、を含み、ＯＦＤＭ変調を用いて生成されたトラフィックチャネル１の信号と、前記トラフィックチャネル１の信号に対して、時間、周波数、コードのいずれでも直交しない信号を用いて生成されたトラフィックチャネル２の信号と、を多重化することによって送信信号を生成することを特徴とする通信システム。
【請求項８】
請求項７に記載の通信システムであって、前記トラフィックチャネル２の信号は、前記ＯＦＤＭ変調されたトラフィックチャネル１の信号の複数のサブキャリアまたは複数のＯＦＤＭシンボル、あるいはその両方の領域にわたって拡散された信号であることを特徴とする通信システム。
【請求項９】
請求項７に記載の通信システムであって、前記トラフィックチャネル２の信号は、低レートのブロック符号により符号化された信号であり、その符号語は単一のＯＦＤＭシンボルの複数のサブキャリアを用いて送信されるように構成された信号であることを特徴とする通信システム。
【請求項１０】
請求項７に記載の通信システムであって、受信局側では、前記トラフィックチャネル１と前記トラフィックチャネル２が多重化された信号を受信し、前記トラフィックチャネル２を復調して信号点の判定を行うことにより得られたトラフィックチャネル２のシンボルから受信信号に多重化された前記トラフィックチャネル２の信号の複製を生成し、受信信号から前記トラフィックチャネル２の信号成分を除去した後に、前記トラフィックチャネル１の復調処理を行うことを特徴とする通信システム。
【請求項１１】
請求項７に記載の通信システムであって、前記トラフィックチャネル２のデータは誤り訂正符号化されており、受信局側では、前記トラフィックチャネル１と前記トラフィックチャネル２が多重化された信号を受信し、前記トラフィックチャネル２を復調・復号することによって得られたトラフィックチャネル２のデータから、受信信号に多重化された前記トラフィックチャネル２の信号の複製を生成し、受信信号から前記トラフィックチャネル２の信号成分を除去した後に、前記トラフィックチャネル１の復調を行うことを特徴とする通信システム。
【請求項１２】
直交周波数分割多重（ＯＦＤＭ）変調を用いる送信装置であって、トラフィックチャネルデータをＯＦＤＭ変調してトラフィックチャネル信号を生成する手段と、前記トラフィックチャネル信号に対して、時間、周波数、コードのいずれでも直交しない信号を用いて制御チャネルデータから制御チャネル信号を生成する手段と、前記トラフィックチャネル信号と前記制御チャネル信号を多重化することによって送信信号を生成する手段と、を有することを特徴とする送信装置。
【請求項１３】
請求項１２に記載の送信装置であって、前記制御チャネル信号生成手段は、制御チャネルデータを伝送するための制御チャネルシンボルを、前記ＯＦＤＭ変調されたトラフィックチャネル信号の複数のサブキャリアまたは複数のＯＦＤＭシンボル、あるいはその両方の領域にわたって拡散する手段を含むことを特徴とする送信装置。
【請求項１４】
請求項１２に記載の送信装置であって、前記制御チャネル信号生成手段は、低レートのブロック符号による符号化手段と、その符号語が単一のＯＦＤＭシンボルの複数のサブキャリアを用いて送信されるように配置する手段と、を含むことを特徴とする送信装置。
【請求項１５】
請求項１２に記載の送信装置で送信される信号を受信する受信装置であって、前記制御チャネルを復調して信号点の判定を行うことによって得られた受信シンボルから受信信号に多重化された前記制御チャネル信号の複製を生成する手段と、受信信号から制御チャネル信号成分を除去する手段と、を有することを特徴とする受信装置。
【請求項１６】
請求項１２に記載の送信装置で送信される信号を受信する受信装置であって、前記制御チャネルのデータは誤り訂正符号化されており、前記制御チャネルを復調・復号することによって得られた制御チャネルデータから受信信号に多重化された前記制御チャネル信号の複製を生成する手段と、受信信号から制御チャネル信号成分を除去する手段と、を有することを特徴とする受信装置。
【請求項１７】
請求項１２に記載の送信装置で送信される信号を受信する受信装置であって、前記制御チャネルのデータは誤り訂正符号化されており、前記制御チャネルを復調・復号して制御チャネルデータを抽出する手段を有し、過去あるいはその時点で得られた制御情報から前記トラフィックチャネルに自局宛の情報が含まれるか否かを判断し、前記トラフィックチャネルが自局宛の情報を含む場合には、前記抽出された制御チャネルデータから受信信号に多重化された前記制御チャネル信号の複製を生成し、受信信号から制御チャネル信号成分を除去した後に、前記トラフィックチャネルの復調処理を行うことを特徴とする受信装置。
【請求項１８】
請求項１２に記載の送信装置で送信される信号を受信する受信装置であって、前記トラフィックチャネルと前記制御チャネルとが多重化された信号を受信し、前記制御チャネルを復調、判定することにより得られた制御チャネルシンボルから前記制御チャネルの複製を生成して、受信信号から前記制御チャネル信号成分を除去するキャンセリング機能１と、前記トラフィックチャネルと前記制御チャネルが多重化された信号を受信し、前記制御チャネルを復調・復号することにより得られた制御チャネルデータから受信信号に多重化された前記制御チャネルの複製を生成して、受信信号から制御チャネル信号成分を除去するキャンセリング機能２と、を有し、通信路の品質によって、前記キャンセリング機能１、前記キャンセリング機能２、及びキャンセリング無し、のいずれかを選択して前記トラフィックチャネルの復調処理を行うことを特徴とする受信装置。
【請求項１９】
請求項１２に記載の送信装置で送信される信号を受信する受信装置であって、前記トラフィックチャネルと前記制御チャネルとが多重化された信号を受信し、前記制御チャネルを復調、判定することにより得られた制御チャネルシンボルから受信信号に多重化された前記制御チャネル信号の複製を生成して、受信信号から前記制御チャネル信号成分を除去するキャンセリング機能１と、前記トラフィックチャネルと前記制御チャネルが多重化された信号を受信し、前記制御チャネルを復調・復号することにより得られた制御チャネルデータから受信信号に多重化された前記制御チャネルの複製を生成して、受信信号から制御チャネル信号成分を除去するキャンセリング機能２と、の二つのキャンセリング機能のうちのいずれか一方のキャンセリング機能のみを有し、通信路の品質によって、キャンセリング有り、及びキャンセリング無し、のいずれかを選択して前記トラフィックチャネルの復調を行うことを特徴とする受信装置。
【請求項２０】
直交周波数分割多重（ＯＦＤＭ）変調を用いる送信装置であって、トラフィックチャネル１のデータをＯＦＤＭ変調してトラフィックチャネル１の信号を生成する手段と、前記トラフィックチャネル１の信号に対して、時間、周波数、コードのいずれでも直交しない信号を用いてトラフィックチャネル２の信号を生成する手段と、前記トラフィックチャネル１の信号と前記トラフィックチャネル２の信号を多重化することによって送信信号を生成する手段と、を有することを特徴とする送信装置。
【請求項２１】
請求項２０に記載の送信装置であって、前記トラフィックチャネル２の信号生成手段は、トラフィックチャネル２を送信するためのシンボルを、前記ＯＦＤＭ変調されたトラフィックチャネル１の信号の複数のサブキャリアまたは複数のＯＦＤＭシンボル、あるいはその両方の領域にわたって拡散する手段を含むことを特徴とする送信装置。
【請求項２２】
請求項２０に記載の送信装置であって、前記トラフィックチャネル２の信号生成手段は、低レートのブロック符号による符号化手段と、その符号語が単一のＯＦＤＭシンボルの複数のサブキャリアを用いて送信されるように配置する手段と、を含むことを特徴とする送信装置。
【請求項２３】
請求項２０に記載の送信装置で送信される信号を受信する受信装置であって、前記トラフィックチャネル２を復調して信号点の判定を行うことにより得られたトラフィックチャネル２のシンボルから受信信号に多重化された前記トラフィックチャネル２の信号の複製を生成する手段と、受信信号から前記トラフィックチャネル２の信号成分を除去する手段と、を有することを特徴とする受信装置。
【請求項２４】
請求項２０に記載の送信装置で送信される信号を受信する受信装置であって、前記トラフィックチャネル２のデータは誤り訂正符号化されており、前記トラフィックチャネル２を復調・復号することによって得られたトラフィックチャネル２のデータから、受信信号に多重化された前記トラフィックチャネル２の信号を複製する手段と、受信信号から前記トラフィックチャネル２の信号成分を除去する手段を有することを特徴とする受信装置。
【請求項２５】
請求項２０に記載の送信装置で送信される信号を受信する受信装置であって、前記トラフィックチャネル２を復調、判定することによって得られたトラフィックチャネル２のシンボルから受信信号に多重化された前記トラフィックチャネル２の信号の複製を生成して、受信信号から前記トラフィックチャネル２の信号成分を除去するキャンセリング機能１と、前記トラフィックチャネル２を復調・復号することによって得られたトラフィックチャネル２のデータから受信信号に多重化された前記トラフィックチャネル２の信号の複製を生成して、受信信号から前記トラフィックチャネル２の信号成分を除去するキャンセリング機能２と、を有し、通信路の品質によって、前記キャンセリング機能１、前記キャンセリング機能２、及びキャンセリング無し、のいずれかを選択して前記トラフィックチャネル１の復調を行うことを特徴とする受信装置。
【請求項２６】
請求項２０に記載の送信装置で送信される信号を受信する受信装置であって、前記トラフィックチャネル２を復調、判定することによって得られたトラフィックチャネル２のシンボルから受信信号に多重化された前記トラフィックチャネル２の信号の複製を生成して、受信信号から前記トラフィックチャネル２の信号成分を除去するキャンセリング機能１と、前記トラフィックチャネル２を復調・復号することによって得られたトラフィックチャネル２のデータから受信信号に多重化された前記トラフィックチャネル２の複製を生成して、受信信号から前記トラフィックチャネル２の信号成分を除去するキャンセリング機能２と、の二つのキャンセリング機能のうちのいずれか一方のキャンセリング機能のみを有し、通信路の品質によって、キャンセリング有り、及びキャンセリング無し、のいずれかを選択して前記トラフィックチャネル１の復調を行うことを特徴とする受信装置。
【請求項２７】
直交周波数分割多重（ＯＦＤＭ）技術を使用し、前記ＯＦＤＭ技術によりＯＦＤＭ変調された信号は複数のサブキャリアまたは複数のＯＦＤＭシンボル、あるいはその両方の領域にわたって拡散された信号であることを特徴とした変調方式（ＯＦＣＤＭ変調）を用いる送信装置であって、
トラフィックチャネルデータをＯＦＣＤＭ変調してトラフィックチャネル信号を生成するトラフィックチャネル信号生成手段と、
前記トラフィックチャネル信号に対して、時間、周波数、コードのいずれでも直交しない信号を用いて制御チャネルデータから制御チャネル信号を生成する制御チャネル信号生成手段と、
前記トラフィックチャネル信号と前記制御チャネル信号を多重化することによって送信信号を生成する送信信号生成手段と、
を備えることを特徴とする送信装置。
【請求項２８】
直交周波数分割多重（ＯＦＤＭ）技術を使用し、前記ＯＦＤＭ技術によりＯＦＤＭ変調された信号は複数のサブキャリアまたは複数のＯＦＤＭシンボル、あるいはその両方の領域にわたって拡散された信号であることを特徴とした変調方式（ＯＦＣＤＭ変調）を用いる送信装置であって、
トラフィックチャネルデータをＯＦＣＤＭ変調してトラフィックチャネル信号を生成するトラフィックチャネル信号生成手段と、
制御チャネルデータを任意の方式で変調して制御チャネル信号を生成する制御チャネル信号生成手段と、
前記制御チャネル信号と前記トラフィックチャネル信号が、互いに時間、周波数、コードのいずれでも直交しない信号と、互いに時間、周波数、コードのいずれかに直交する信号とに、切り替える切替手段と、
前記トラフィックチャネル信号と前記制御チャネル信号を多重化することによって送信信号を生成する送信信号生成手段と、
を備えることを特徴とする送信装置。
【請求項２９】
前記切替手段は、通信路の品質が良好である場合に、前記直交しない信号に切り替え、通信路の品質が劣悪である場合に、前記直交する信号に切り替えることを特徴とする請求項２８に記載の送信装置。
【請求項３０】
前記切替手段は、前記トラフィックチャネル信号で現在使用されている拡散コード数に応じて、前記直交しない信号と前記直交する信号とを切り替えることを特徴とする請求項２８に記載の送信装置。
【請求項３１】
前記制御チャネル信号生成手段により生成される前記制御チャネル信号は、前記ＯＦＣＤＭ変調された信号であることを特徴とする請求項２７から請求項３０のいずれか１項に記載の送信装置。
【請求項３２】
前記制御チャネル信号生成手段は、低レートのブロック符号による符号化手段と、その符号語が単一のＯＦＤＭシンボルの複数のサブキャリアを用いて送信されるように配置する手段と、を含むことを特徴とする請求項２７に記載の送信装置。
【請求項３３】
請求項２７から請求項３２のいずれか１項に記載の送信装置で送信される信号を受信する受信装置であって、
前記制御チャネル信号から制御チャネルデータの復調処理を行う制御チャネル信号処理手段と、前記トラフィックチャネル信号をＯＦＣＤＭ復調してトラフィックチャネルデータの復調処理を行うトラフィックチャネル信号処理手段と、
前記制御チャネル信号を復調し、復調した信号から受信信号に多重化された前記制御チャネル信号の複製を生成する手段と、受信信号から制御チャネル信号成分を除去する手段とを含む制御チャネルキャンセラー手段と、
を備えることを特徴とする受信装置。
【請求項３４】
前記制御チャネルキャンセラー手段は、前記制御チャンネル信号を復調して信号点の判定を行う判定手段により得られた制御チャネルシンボルから受信信号に多重化された前記制御チャネル信号の複製を生成し、受信信号から制御チャネル信号成分を除去した後に、前記トラフィックチャネル信号の復調を行うことを特徴とする請求項３３に記載の受信装置。
【請求項３５】
前記制御チャネルキャンセラー手段は、前記制御チャネル信号を復調して誤り訂正符号復号化手段で復号することにより得られた制御チャネルデータから受信信号に多重化された前記制御チャネル信号の複製を生成し、受信信号から制御チャネル信号成分を除去した後に、前記トラフィックチャネル信号の復調処理を行うことを特徴とする請求項３３に記載の受信装置。
【請求項３６】
前記制御チャネルキャンセラー手段は、過去あるいはその時点で得られた制御情報から前記トラフィックチャネルに自局宛の情報が含まれるか否かを判断し、前記トラフィックチャネルが自局宛の情報を含む場合に、受信信号に多重化された前記制御チャネル信号の複製を生成し、受信信号から制御チャネル信号成分を除去した後に、前記トラフィックチャネル信号の復調処理を行うことを特徴とする請求項３４又は請求項３５に記載の受信装置。
【請求項３７】
前記制御チャネルキャンセラー手段は、
ａ）前記制御チャネルを復調・復号することにより得られた制御チャネルデータから受信信号に多重化された前記制御チャネルの複製を生成して、受信信号から制御チャネル信号成分を除去するキャンセリング（２）手段、
ｂ）キャンセリングを実行させない手段、
のいずれかの手段を通信路の品質によって選択して前記トラフィックチャネルの復調処理を行うことを特徴とする請求項３３に記載の受信装置。
【請求項３８】
前記制御チャネルキャンセラー手段は、前記トラフィックチャネルと前記制御チャネルとが多重化された信号を受信し、前記制御チャネルを復調、判定することにより得られた制御チャネルシンボルから受信信号に多重化された前記制御チャネル信号の複製を生成して、受信信号から前記制御チャネル信号成分を除去する前記キャンセリング（１）手段及び前記トラフィックチャネルと前記制御チャネルが多重化された信号を受信し、前記制御チャネルを復調・復号することにより得られた制御チャネルデータから受信信号に多重化された前記制御チャネルの複製を生成して、受信信号から制御チャネル信号成分を除去する前記キャンセリング（２）手段の２つのキャンセリング手段うちのどちらか一方のキャンセリング手段のみを備え、
通信路の品質によって、キャンセリングを実行するか否かのどちらかを選択して前記トラフィックチャネルの復調を行うことを特徴とする請求項３３に記載の受信装置。
【請求項３９】
請求項２８から請求項３０のいずれか１項に記載の送信装置で送信される信号を受信する受信装置であって、
トラフィックチャネル信号をＯＦＣＤＭ復調してトラフィックチャネルデータの復調処
理を行うトラフィックチャネル信号処理手段と、
制御チャネル信号から制御チャネルデータの復調処理を行う制御チャネル信号処理手段と、
前記制御チャネル信号と前記トラフィックチャネル信号が、互いに時間、周波数、コードのいずれでも直交しない信号と、互いに時間、周波数、コードのいずれかに直交する信号のどちらでも復調できるように時間、周波数またはコードを切り替える切替手段と、
前記制御チャネルを復調して得られた受信シンボルもしくは受信データから受信信号に多重化された前記制御チャネル信号の複製を生成する複製手段と、受信信号から制御チャネル信号成分を除去する除去手段とを含む制御チャネルキャンセラー手段と、を備え、
前記制御チャネルが前記直交する信号であれば、そのまま前記トラフィックチャネルの復調を行い、前記制御チャネルが前記直交しない信号であれば、前記制御チャネルキャンセラー手段により前記受信信号から前記制御チャネルをキャンセリングした後に前記トラフィックチャネルの復調を行うことを特徴とする受信装置。
【請求項４０】
請求項２８から請求項３０のいずれか１項に記載の送信装置で送信される信号を受信する受信装置であって、
トラフィックチャネル信号をＯＦＣＤＭ復調してトラフィックチャネルデータの復調処理を行うトラフィックチャネル信号処理手段と、
制御チャネル信号から制御チャネルデータの復調処理を行う制御チャネル信号処理手段と、
前記制御チャネル信号と前記トラフィックチャネル信号が、互いに時間、周波数、コードのいずれでも直交しない信号と、互いに時間、周波数、コードのいずれかに直交する信号のどちらでも復調できるように時間、周波数またはコードを切り替える切替手段と、
前記制御チャネルを復調して得られた受信シンボルもしくは受信データから受信信号に多重化された前記制御チャネル信号の複製を生成する複製手段と、受信信号から制御チャネル信号成分を除去する除去手段とを含む制御チャネルキャンセラー手段と、を備え、
前記制御チャネルキャンセラー手段は、通信路の品質、および前記直交する信号か前記直交しない信号かに応じて、前記複製手段により複製された信号を利用して、前記除去手段により受信信号から前記制御チャネルのキャンセリングを実行するか否かを判断し、選択して、前記トラフィックチャネルの復調を行うことを特徴とする受信装置。
【請求項４１】
直交周波数分割多重（ＯＦＤＭ）技術を使用し、前記ＯＦＤＭ技術によりＯＦＤＭ変調された信号は複数のサブキャリアまたは複数のＯＦＤＭシンボル、あるいはその両方の領域にわたって拡散された信号であることを特徴とした変調方式（ＯＦＣＤＭ変調）を用いる送信装置であって、
トラフィックチャネルデータ１をＯＦＣＤＭ変調してトラフィックチャネル信号１を生成するトラフィックチャネル信号１生成手段と、
前記トラフィックチャネル１の信号に対して、時間、周波数、コードのいずれでも直交しない信号を用い、前記トラフィックチャネルデータ１に比較して、低速なトラフィックチャネルデータであるトラフィックチャネルデータ２からトラフィックチャネル信号２を生成するトラフィックチャネル信号２生成手段と、
前記トラフィックチャネル信号１と前記トラフィックチャネル信号２を多重化することによって送信信号を生成する送信信号生成手段と、
を備えることを特徴とする送信装置。
【請求項４２】
直交周波数分割多重（ＯＦＤＭ）技術を使用し、前記ＯＦＤＭ技術によりＯＦＤＭ変調された信号は複数のサブキャリアまたは複数のＯＦＤＭシンボル、あるいはその両方の領域にわたって拡散された信号であることを特徴とした変調方式（ＯＦＣＤＭ変調）を用いる送信装置であって、
トラフィックチャネルデータ１をＯＦＣＤＭ変調してトラフィックチャネル信号１を生成するトラフィックチャネル信号１生成手段と、
トラフィックチャネルデータ２を任意の方式で変調してトラフィックチャネル２の信号を生成するトラフィックチャネル２信号生成手段と、
前記トラフィックチャネル２の信号と前記トラフィックチャネル１の信号が、互いに時間、周波数、コードのいずれでも直交しない信号と、互いに時間、周波数、コードのいずれかに直交する信号とに、切り替える切替手段と、
前記トラフィックチャネル信号１と前記トラフィックチャネル信号２を多重化することによって送信信号を生成する送信信号生成手段と、
を備えることを特徴とする送信装置。
【請求項４３】
前記切替手段は、通信路の品質が良好である場合に前記直交しない信号に切り替え、通信路の品質が劣悪である場合に前記直交する信号に切り替えることを特徴とする請求項４２に記載の送信装置。
【請求項４４】
前記切替手段は、前記トラフィックチャネル１の信号で現在使用されている拡散コード数に応じて、前記直交しない信号と前記直交する信号とを切り替えることを特徴とする請求項４２に記載の送信装置。
【請求項４５】
前記トラフィックチャネル信号２生成手段により生成される前記トラフィックチャネル２の信号は、前記ＯＦＣＤＭ変調された信号であることを特徴とする請求項４１から請求項４４のいずれか１項に記載の送信装置。
【請求項４６】
前記トラフィックチャネル信号２生成手段は、低レートのブロック符号による符号化手段と、その符号語が単一のＯＦＤＭシンボルの複数のサブキャリアを用いて送信されるように配置する手段と、を含むことを特徴とする請求項４１に記載の送信装置。
【請求項４７】
請求項４１から請求項４６のいずれか１項に記載の送信装置で送信される信号を受信する受信装置であって、
トラフィックチャネル信号１をＯＦＣＤＭ復調してトラフィックチャネルデータ１の復調処理を行うトラフィックチャネル１信号処理手段と、
トラフィックチャネル信号２から、前記トラフィックチャネルデータ１に比較して、低速なトラフィックチャネルデータであるトラフィックチャネルデータ２の復調処理を行うトラフィックチャネル２信号処理手段と、
受信信号に多重化された前記トラフィックチャネル信号２の複製を生成する手段と、前記受信信号から前記トラフィックチャネル信号２の成分を除去する手段とを含むトラフィックチャネル２キャンセラー手段と、
を備えることを特徴とする受信装置。
【請求項４８】
前記トラフィックチャネル２を復調し、誤り訂正符号復号化手段により復号することによって得られたトラフィックチャネルデータ２から、前記トラフィックチャネルキャンセラー手段により、受信信号に多重化された前記トラフィックチャネル信号２の複製を生成し、受信信号から前記トラフィックチャネル２の信号成分を除去することを特徴とする請求項４７に記載の受信装置。
【請求項４９】
前記トラフィックチャネル信号２を復調し、信号点の判定を行う判定手段によって得られたトラフィックチャネル２のシンボルから、前記トラフィックチャネルキャンセラー手段によって、前記受信信号に多重化された前記トラフィックチャネル信号２の複製を生成し、前記受信信号から前記トラフィックチャネル信号２の成分を除去することを特徴とする請求項４７に記載の受信装置。
【請求項５０】
前記トラフィックチャネルキャンセラー手段は、
ａ）前記トラフィックチャネル２を復調し、前記誤り訂正符号復号化手段により復号することによって得られるトラフィックチャネルデータ２から前記受信信号に多重化された前記トラフィックチャネル信号２の複製を生成して、前記受信信号から前記トラフィックチャネル２の信号成分を除去するキャンセリング（２）手段、
ｂ）キャンセリングを実行させない手段、
のいずれかの手段を通信路の品質によって選択して前記トラフィックチャネル１の復調を行うことを特徴とする請求項４７に記載の受信装置。
【請求項５１】
前記トラフィックチャネルキャンセラー手段は、前記トラフィックチャネル２を復調、前記判定することによって得られたトラフィックチャネル２のシンボルから受信信号に多重化された前記トラフィックチャネル２の信号の複製を生成して、受信信号から前記トラフィックチャネル信号２の成分を除去するキャンセリング（１）手段と、前記トラフィックチャネル２を復調・復号することによって得られたトラフィックチャネルデータ２から前記受信信号に多重化された前記トラフィックチャネル２の複製を生成して、受信信号から前記トラフィックチャネル信号２の成分を除去するキャンセリング（２）手段と、の二つのキャンセリング手段のうちのいずれか一方のキャンセリング手段のみを備え、
通信路の品質によって、キャンセリングを実行するか否かのどちらかを選択して前記トラフィックチャネル１の復調を行うことを特徴とする請求項４７に記載の受信装置。
【請求項５２】
請求項４２から請求項４４のいずれか１項に記載の送信装置で送信される信号を受信する受信装置であって、
トラフィックチャネル信号１をＯＦＣＤＭ復調してトラフィックチャネルデータ１の復調処理を行うトラフィックチャネル１信号処理手段と、
トラフィックチャネル信号２を復調してトラフィックチャネルデータ２の復調処理を行うトラフィックチャネル２信号処理手段と、
前記トラフィックチャネル信号１と前記トラフィックチャネル信号２が、互いに時間、周波数、コードのいずれでも直交しない信号と、互いに時間、周波数、コードのいずれかに直交する信号のどちらでも復調できるように時間、周波数またはコードを切り替える切替手段と、
前記トラフィックチャネル信号２を復調して得られた受信シンボルもしくは受信データから前記受信信号に多重化された前記トラフィックチャネル信号２の複製を生成する複製手段と、前記受信信号からトラフィックチャネル信号２の成分を除去する除去手段とを含むトラフィックチャネル２キャンセラー手段と、を備え、
前記トラフィックチャネル信号２が前記直交する信号であれば、そのまま前記トラフィックチャネルデータ１の復調を行い、前記トラフィックチャネル信号２が前記直交しない信号であれば、前記トラフィックチャネル２キャンセラー手段により複製された信号を前記受信信号から前記トラフィックチャネル信号２をキャンセリングした後に前記トラフィックチャネルデータ１の復調を行うことを特徴とする受信装置。
【請求項５３】
請求項４２から請求項４４のいずれか１項に記載の送信装置で送信される信号を受信する受信装置であって、
トラフィックチャネル信号１をＯＦＣＤＭ復調してトラフィックチャネルデータ１の復調処理を行うトラフィックチャネル１信号処理手段と、
トラフィックチャネル信号２を復調してトラフィックチャネルデータ２の復調処理を行うトラフィックチャネル２信号処理手段と、
前記トラフィックチャネル信号１と前記トラフィックチャネル信号２が、互いに時間、周波数、コードのいずれでも直交しない信号と、互いに時間、周波数、コードのいずれかに直交する信号のどちらでも復調できるように時間、周波数またはコードを切り替える切替手段と、
前記トラフィックチャネル信号２を復調して得られた受信シンボルもしくは受信データから前記受信信号に多重化された前記トラフィックチャネル信号２の複製を生成する複製手段と、前記受信信号からトラフィックチャネル信号２の成分を除去する除去手段とを含むトラフィックチャネル２キャンセラー手段と、を備え、
前記トラフィックチャネル２キャンセラー手段は、通信路の品質、および前記直交する信号か前記直交しない信号かに応じて、前記複製手段により複製された信号を利用して、前記除去手段により受信信号から前記トラフィックチャネル信号２のキャンセリングを実行するか否かを判断し、選択して、前記トラフィックチャネルデータ１の復調を行うことを特徴とする受信装置。
【請求項５４】
請求項２７から請求項３２のいずれか１項に記載する送信装置と、請求項３３から請求項３８のいずれか１項に記載する受信装置と、を備えたことを特徴とするデータ通信システム。
【請求項５５】
請求項２８から請求項３１のいずれか１項に記載する送信装置と、請求項３９または請求項４０に記載する受信装置と、を備えたことを特徴とするデータ通信システム。
【請求項５６】
請求項４１から請求項４６のいずれか１項に記載する送信装置と、請求項４７から請求項５１のいずれか１項に記載する受信装置と、を備えたことを特徴とするデータ通信システム。
【請求項５７】
請求項４２から請求項４５のいずれか１項に記載する送信装置と、請求項５２または請求項５３に記載する受信装置と、を備えたことを特徴とするデータ通信システム。
【手続補正２】
【補正対象書類名】明細書
【補正対象項目名】００５７
【補正方法】変更
【補正の内容】
【００５７】
第３７の技術手段は、第３３の技術手段において、制御チャネルキャンセラー手段は、ａ）制御チャネルを復調・復号することにより得られた制御チャネルデータから受信信号に多重化された制御チャネルの複製を生成して、受信信号から制御チャネル信号成分を除去するキャンセリング（２）手段、ｂ）キャンセリングを実行させない手段のいずれかの手段を通信路の品質によって選択してトラフィックチャネルの復調処理を行うことを特徴としたものである。
【手続補正３】
【補正対象書類名】明細書
【補正対象項目名】００７０
【補正方法】変更
【補正の内容】
【００７０】
第５０の技術手段は、第４７の技術手段において、トラフィックチャネルキャンセラー手段は、ａ）前記トラフィックチャネル２を復調し、誤り訂正符号復号化手段により復号することによって得られるトラフィックチャネルデータ２から受信信号に多重化されたトラフィックチャネル信号２の複製を生成して、受信信号から前記トラフィックチャネル２の信号成分を除去するキャンセリング（２）手段、ｂ）キャンセリングを実行させない手段のいずれかの手段を通信路の品質によって選択してトラフィックチャネル１の復調を行うことを特徴としたものである。
【手続補正４】
【補正対象書類名】図面
【補正対象項目名】図９
【補正方法】変更
【補正の内容】
【図９】
2006022136.tif 000047
【手続補正５】
【補正対象書類名】図面
【補正対象項目名】図１３
【補正方法】変更
【補正の内容】
【図１３】
2006022136.tif 000048
【国際調査報告】
2006022136.tif 000049
2006022136.tif 000050
2006022136.tif 000051
2006022136.tif 000052